(57)【要約】  本出願は、複数のコア（plurality of cares）を備え、有益剤を含む送達粒子、及びそのような送達粒子を含む製品、並びにそのような送達粒子及びそのような送達粒子を含む製品の製造及び使用法に関する。このような粒子の製造方法は有益剤を過度に変性させず、かつこのような粒子を製品に採用した場合、粒子は、安定である一方で、製品を目的通りに使用した際に所望される量の有益剤を放出する。
2013538885.tif 000002
【特許請求の範囲】
【請求項１】
送達粒子であって、シェル材料及び１つ以上のマトリックスを含み、前記シェルは、前記１つ以上のマトリックスを封入し又は埋め込み、前記１つ以上のマトリックスは、１つ以上のマトリックス結合剤及び複数のマトリックス有益剤コアを含み、前記マトリックス有益剤コアは前記１つ以上のマトリックス結合剤中に分散しており、前記送達粒子の平均粒径分布は約１０マイクロメートル〜約３５０マイクロメートル、好ましくは約２０マイクロメートル〜約１５０マイクロメートル、最も好ましくは約３５マイクロメートル〜約９０マイクロメートルであり、好ましくは前記送達粒子の安定度指数は０．８０〜１、より好ましくは０．９０〜１、最も好ましくは０．９５〜１であり、好ましくは前記送達粒子の放出指数は０．２５〜１、より好ましくは０．５０〜１、最も好ましくは０．８５〜１であり、好ましくは前記送達粒子のマトリックス対シェル材料の質量比は２０：８０〜９０：１０、より好ましくは３５：６５〜８５：１５、又は最も好ましくは４５：５５〜８０：２０であり、好ましくは前記送達粒子のマトリックス結合剤対シェルの質量比は５０：５０〜３：９７、より好ましくは３５：６５〜１０：９０、最も好ましくは２２：７５〜１５：８５であり、好ましくは前記送達粒子は追加の外層を含み、前記外層は第二シェル材料、付着助剤ポリマー、及び／又はこれらの混合物を含み、好ましくは前記外層は前記送達粒子を完全に又は部分的にコーティング及び／又は封入し、好ましくは前記付着助剤ポリマーはポリビニルホルムアミドを含む、送達粒子。
【請求項２】
ａ）前記マトリックス結合剤が、水溶性及び／又は水分散性非還元型多糖、水溶性及び／又は水分散性アクリレート誘導体、及びこれらの混合物から選択される材料を含み、前記マトリックス結合剤の遠心保持能が、好ましくは２グラム／グラム〜５００グラム／グラム、より好ましくは１０グラム／グラム〜３００グラム／グラム、最も好ましくは５０グラム／グラム〜１５０グラム／グラムであり、
ｂ）前記シェル材料が、ポリビニルアルコール、ポリ酢酸ビニル、酢酸セルロース、ポリ（ビニル−アルコール−ｃｏ−酢酸ビニル）、アクリル酸−エチレン−酢酸ビニルコポリマー、及びこれらの混合物からなる群から選択される材料を含み、
ｃ）前記マトリックス有益剤が、予形成過酸、金属触媒、漂白活性化剤、漂白増進剤、ジアシルペルオキシド、過酸化水素源、及び酵素からなる群から選択される材料を含み得る、請求項１に記載の送達粒子。
【請求項３】
ａ）前記金属触媒が、ジクロロ−１，４−ジエチル−１，４，８，１１−テトラアザビシクロ（tetraaazabicyclo）［６．６．２］ヘキサデカンマンガン（ＩＩ）；ジクロロ−１，４−ジメチル−１，４，８，１１−テトラアザビシクロ（tetraaazabicyclo）［６．６．２］ヘキサデカンマンガン（ＩＩ）、及びこれらの混合物からなる群から選択される材料を含み、
ｂ）前記漂白増進剤が、２−［３−［（２−ヘキシルドデシル）オキシ］−２−（スルホオキシ）プロピル］−３，４−ジヒドロイソキノリニウム（分子内塩）、３，４−ジヒドロ−２−［３−［（２−ペンチルウンデシル）オキシ］−２−（スルホオキシ）プロピル］イソキノリニウム（分子内塩）、２−［３−［（２−ブチルデシル）オキシ］−２−（スルホオキシ）プロピル］−３，４−ジヒドロイソキノリニウム（分子内塩）、３，４−ジヒドロ−２−［３−（オクタデシルオキシ）−２−（スルホオキシ）プロピル］イソキノリニウム（分子内塩）、２−［３−（ヘキサデシルオキシ）−２−（スルホオキシ）プロピル］−３，４−ジヒドロイソキノリニウム（分子内塩）、３，４−ジヒドロ−２−［２−（スルホオキシ）−３−（テトラデシルオキシ）プロピル］イソキノリニウム（分子内塩）、２−［３−（ドデシルオキシ）−２−（スルホオキシ）プロピル］−３，４−ジヒドロイソキノリニウム（分子内塩）、２−［３−［（３−ヘキシルデシル）オキシ］−２−（スルホオキシ）プロピル］−３，４−ジヒドロイソキノリニウム（分子内塩）、３，４−ジヒドロ−２−［３−［（２−ペンチルノニル）オキシ］−２−（スルホオキシ）プロピル］イソキノリニウム（分子内塩）、３，４−ジヒドロ−２−［３−［（２−プロピルヘプチル）オキシ］−２−（スルホオキシ）プロピル］イソキノリニウム（分子内塩）、２−［３−［（２−ブチルオクチル）オキシ］−２−（スルホオキシ）プロピル］−３，４−ジヒドロイソキノリニウム（分子内塩）、２−［３−（デシルオキシ）−２−（スルホオキシ）プロピル］−３，４−ジヒドロイソキノリニウム（分子内塩）、３，４−ジヒドロ−２−［３−（オクチルオキシ）−２−（スルホオキシ）プロピル］イソキノリニウム（分子内塩）、２−［３−［（２−エチルヘキシル）オキシ］−２−（スルホオキシ）プロピル］−３，４−ジヒドロイソキノリニウム（分子内塩）、及びこれらの混合物からなる群から選択される材料を含み、
ｃ）前記漂白活性化剤が、テトラアセチルエチレンジアミン（ＴＡＥＤ）、ベンゾイルカプロラクタム（ＢｚＣＬ）、４−ニトロベンゾイルカプロラクタム、３−クロロベンゾイルカプロラクタム、ベンゾイルオキシベンゼンスルホネート（ＢＯＢＳ）、ノナノイルオキシベンゼンスルホネート（ＮＯＢＳ）、安息香酸フェニル（ＰｈＢｚ）、デカノイルオキシベンゼンスルホネート（Ｃ１０−ＯＢＳ）、ベンゾイルバレロラクタム（ＢＺＶＬ）、オクタノイルオキシベンゼンスルホネート（Ｃ８−ＯＢＳ）、過加水分解可能なエステル、４−［Ｎ−（ノナオイル）アミノヘキサノイルオキシ］−ベンゼンスルホン酸ナトリウム（ＮＡＣＡ−ＯＢＳ）、ドデカノイルオキシベンゼンスルホネート（ＬＯＢＳ又はＣ１２−ＯＢＳ）、１０−ウンデセノイルオキシベンゼンスルホネート（１０位に不飽和を有するＵＤＯＢＳ又はＣ１１−ＯＢＳ）、デカノイルオキシ安息香酸（ＤＯＢＡ）、（６−オクタンアミドカプロイル）オキシベンゼンスルホネート、（６−ノナンアミドカプロイル）オキシベンゼンスルホネート；６−デカンアミドカプロイル）オキシベンゼンスルホネート、及びこれらの混合物からなる群から選択される材料を含み、
ｄ）前記予形成過酸が、過硫酸、過ヨウ素酸、過炭酸、過カルボン酸及び前記酸の塩から選択される材料を含み、好ましくは前記過カルボン酸及びその塩が、フタルイミドペルオキシヘキサン酸、１，１２−ジペルオキシドデカン二酸、又はモノペルオキシフタル酸（マグネシウム塩六水和物）、アミドペルオキシ酸を含み、好ましくは前記アミドペルオキシ酸が、Ｎ，Ｎ’−テレフタロイル−ジ（６−アミノカプロン酸）、ペルオキシこはく酸（ＮＡＰＳＡ）又はペルオキシアジピン酸（ＮＡＰＡＡ）のいずれかのモノノニルアミド、Ｎ−ノナノイルアミノペルオキシカプロン酸（ＮＡＰＣＡ）、及びこれらの混合物を含み、より好ましくは前記予形成過酸がフタルイミドペルオキシヘキサン酸を含み、
ｅ）前記ジアシルペルオキシドが、ジノナノイルペルオキシド、ジデカノイルペルオキシド、ジウンデカノイルペルオキシド、ジラウロイルペルオキシド、ジベンゾイルペルオキシド、ジ−（３，５，５−トリメチルヘキサノイル）ペルオキシド及びこれらの混合物からなる群から選択される材料を含み、好ましくは、前記ジアシルペルオキシドが包接ジアシルペルオキシドを含み、
ｆ）前記過酸化水素源が、過ホウ酸塩、過炭酸塩、ペルオキシ水和物、過硫酸塩、及びこれらの混合物からなる群から選択される材料を含み、好ましくは、前記過酸化水素源は過ホウ酸ナトリウムを含み、より好ましくは、前記過ホウ酸ナトリウムは、一水和物又は四水和物、ピロリン酸ナトリウム過酸化水和物、尿素過酸化水和物又はリン酸三ナトリウム過酸化水和物及びこれらの混合物を含み、並びに
ｇ）前記酵素が、ペルオキシダーゼ、プロテアーゼ、リパーゼ、ホスホリパーゼ、セロビオヒドロラーゼ、セロビオースデヒドロゲナーゼ、エステラーゼ、クチナーゼ、ペクチナーゼ、マンナナーゼ、ペクチン酸リアーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、グルカナーゼ、アラビノシダーゼ、ヒアルロニダーゼ、コンドロイチナーゼ、ラッカーゼ、アミラーゼ、及びこれらの混合物からなる群から選択される材料を含む、請求項１又は２に記載の送達粒子。
【請求項４】
ａ）前記ポリビニルアルコールが、加水分解度が８０ｍｏｌ％〜９９ｍｏｌ％、好ましくは８７ｍｏｌ％〜８９ｍｏｌ％であり、かつ分子量が１０，０００グラム／ｍｏｌ〜７５０，０００グラム／ｍｏｌ、好ましくは３０，０００グラム／ｍｏｌ〜３００，０００グラム／ｍｏｌであるポリビニルアルコール変異体を含み、
ｂ）前記ポリ酢酸ビニルが、重合度が１５０〜５，０００、好ましくは１５０〜２，０００、より好ましくは１９０〜１，０００のポリ酢酸ビニル変異体を含み、並びに
ｃ）前記酢酸セルロースが、分子量が３０，０００グラム／ｍｏｌ〜５０，０００グラム／ｍｏｌの酢酸セルロース変異体を含む、請求項１〜３のいずれか一項に記載の送達粒子。
【請求項５】
ａ）前記水溶性及び／又は水分散性非還元型多糖が、キサンタンガム、ダイユータンガム、グアーガム、ジェランガム、カラギーナン、相乗的なゴム系、及びこれらの混合物からなる群から選択される材料を含み、
ｂ）前記水溶性及び／又は水分散性アクリレート誘導体のガラス転移温度が５０℃〜１３０℃、好ましくは９０℃〜１１５℃である、請求項１〜４のいずれか一項に記載の送達粒子。
【請求項６】
前記送達粒子が、
ａ）１つ以上のマトリックス結合剤と、同一の若しくは異なる材料を含む複数のマトリックス有益剤コアと、を含む、単一のマトリックス、又は
ｂ）複数のマトリックスであって、前記マトリックスのそれぞれが独立して、１つ以上のマトリックス結合剤と、同一の若しくは異なる材料を含む複数のマトリックス有益剤コアと、を含み、前記複数のマトリックスは、前記シェル材料により封入され又は埋め込まれる、請求項１〜５のいずれか一項に記載の送達粒子。
【請求項７】
請求項１〜６のいずれか一項に記載の送達粒子と、補助成分とを含む消費者製品であって、好ましくは前記消費者製品が、外部構造系、抗凝集剤、及びこれらの混合物からなる群から選択される材料を含み、好ましくは前記外部構造系が水添硬化ヒマシ油誘導体を含み、好ましくは前記消費者製品が水溶性パウチ材内に封入され、好ましくは前記パウチ材が、ポリビニルアルコール、ポリビニルアルコールコポリマー、ヒドロキシプロピルメチルセルロース（ＨＰＭＣ）、及びこれらの混合物、を含む、消費者製品。
【請求項８】
前記消費者製品が、
ａ）アニオン性界面活性剤及び／又は非イオン性界面活性剤（好ましくはアニオン性界面活性剤）、
ｂ）溶媒（好ましくは前記溶媒がブトキシプロポキシプロパノール及び／又はグリセロールを含む）、
ｃ）水（好ましくは組成物の総重量に基づいて１０重量％未満の水、より好ましくは２重量％〜１０重量％未満の水）、
ｄ）所望により次のものからなる群から選択される１つ以上の成分：
（ｉ）粘土洗浄ポリマーと適合性のある漂白剤（好ましくは、前記粘土洗浄ポリマーと適合性のある漂白剤は、エトキシ化ヘキサメチレンジアミンジメチル第四級アンモニウム化合物、エトキシサルフェート化ヘキサメチレンジアミンジメチル第四級アンモニウム化合物、及びこれらの混合物からなる群から選択される）、
（ｉｉ）増白剤（好ましくは、前記増白剤は、４，４’−ビス（２−スルホスチリル）ビフェニル及び／又はビス（スルホベンゾフラニル）ビフェニル二ナトリウムから選択される蛍光増白剤を含む）、
（ｉｉｉ）ビルダー（好ましくは、前記ビルダーは、クエン酸ナトリウムを含むビルダーを含む）、並びに
（ｉｖ）キレート化剤（好ましくは前記キレート化剤は１−ヒドロキシエチリデン−１，１−ジホスホン酸（ＨＥＤＰ）を含む）、から選択される材料を含む、請求項１〜７のいずれか一項に記載の消費者製品。
【請求項９】
前記消費者製品が、
ａ．０．０００１重量％〜８重量％の洗浄酵素（好ましくは前記洗浄酵素は、リパーゼ、プロテアーゼ、アミラーゼ、セルラーゼ、ペクチン酸リアーゼ、キシログルカナーゼ、及びこれらの混合物からなる群から選択される酵素を含む）、並びに
ｂ．６．５〜１０．５の正味ｐＨを有する、請求項１〜８のいずれか一項に記載の消費者製品。
【請求項１０】
前記消費者製品が、
ａ．０．１重量％〜１２重量％の漂白剤又は漂白剤系を含み、並びに
ｂ．６．５〜１０．５の正味ｐＨを有する、請求項１〜９のいずれか一項に記載の消費者製品。
【請求項１１】
部位を処理及び／又は洗浄する方法であって、前記方法が、
ａ．所望により、前記部位を洗浄及び／又はすすぐ工程と、
ｂ．前記部位を請求項１〜１０のいずれか一項に記載の消費者製品と接触させる工程と、
ｃ．所望により、前記部位を洗浄及び／又はすすぐ工程と、を含む、方法。
【請求項１２】
請求項１〜１１のいずれか一項に記載の消費者製品により処理した部位。
【請求項１３】
消費者製品補助成分及び送達粒子を含む、消費者製品の製造方法であって、
ａ）第一溶液であって、前記第一溶液中に懸濁及び／又は溶解させた、溶液の総重量に基づいて約０．１重量％〜約１０重量％のマトリックス結合剤と、１種以上の溶媒と、を含む第一溶液を調製する工程であって、好ましくは、前記溶媒が水、エタノール、アセトン、ジクロロメタン、及びこれらの混合物を含む、工程と、
ｂ）前記第一溶液に懸濁及び／又は溶解させた、組成物の総重量に基づいて０．１重量％〜３０重量％のマトリックス有益剤コアを含む第一組成物を調製する工程と、
ｃ）所望により、組成物の総重量に基づいて０．０５〜３重量％の外部構造系と、前記第一組成物と、を含む第二組成物を調製する工程と、
ｄ）第二溶液であって、前記第二溶液に懸濁及び／又は溶解させた、溶液の総重量に基づいて約１重量％〜約２０重量％のシェル材料と、１種以上の溶媒と、を含む第二溶液を調製する工程であって、好ましくは、前記溶媒が水、エタノール、アセトン、ジクロロメタン、及びこれらの混合物を含む、工程と、
ｅ）同心ノズル又は同軸針電極を用いることにより、前記第一又は第二組成物と、前記第二溶液とを、２５℃〜１４０℃の温度にてチャンバ内でスプレーして送達粒子を形成する工程であって、好ましくは前記同心ノズルがフローフォーカシングノズル又は同軸ノズルを含み、好ましくは前記同心フローフォーカシングノズルの内径が２０〜２００、より好ましくは４５〜１５０であり、かつ外径が４０〜３５０、より好ましくは７０〜２５０であり、好ましくは前記同軸針電極の直径が１００マイクロメートル〜４，０００マイクロメートル、より好ましくは２５０〜３，０００、最も好ましくは５００マイクロメートル〜２，０００マイクロメートルである、工程と、
ｆ）前記送達粒子を回収する工程と、
ｇ）前記送達粒子を１つ以上の消費者製品補助成分、付着助剤ポリマー、又はこれらの混合物と組み合わせる工程と、を含む、方法。
【請求項１４】
消費者製品補助成分及び送達粒子を含む、消費者製品の製造方法であって、
ａ）第一溶液であって、前記第一溶液中に懸濁及び／又は溶解させた、溶液の総重量に基づいて約０．１重量％〜約１０重量％のマトリックス結合剤と、１種以上の溶媒と、を含む第一溶液を調製する工程であって、好ましくは、前記溶媒が水、エタノール、アセトン、ジクロロメタン、及びこれらの混合物を含む、工程と、
ｂ）前記第一溶液に懸濁及び／又は溶解させた、組成物の総重量に基づいて０．１重量％〜３０重量％のマトリックス有益剤を含む第一組成物を調製する工程と、
ｃ）所望により、溶液の総重量に基づいて０．０１重量％〜２重量％の外部構造系を前記第一組成物に添加する工程と、
ｄ）前記第一組成物を、２５℃〜１４０℃の温度にてチャンバ内でスプレーして、複数のマトリックス有益剤コアを含有するマトリックスを形成する工程であって、好ましくは前記スプレー方法が、二液ノズル、回転ディスク、高圧ノズル、単軸針電極、又はフローフォーカシングノズルを含み、好ましくは前記二液ノズルの直径が２００マイクロメートル〜３，５００マイクロメートル、より好ましくは１，０００マイクロメートル〜３，０００マイクロメートルであり、好ましくは前記フローフォーカシングノズルが、直径が２０マイクロメートル〜７００マイクロメートル、より好ましくは４０〜５００マイクロメートル、最も好ましくは１００マイクロメートル〜３５０マイクロメートルの単独フローフォーカシングノズルを含み、好ましくは前記回転ディスクの直径が６０ミリメートル〜３５０ミリメートルであり、好ましくは前記単軸針電極の直径が１００マイクロメートル〜４，０００マイクロメートル、より好ましくは２５０〜３，０００、最も好ましくは５００マイクロメートル〜２，０００マイクロメートルである、工程と、
ｅ）前記マトリックスを回収する工程と、
ｆ）第二溶液であって、前記第二溶液に懸濁及び／又は溶解させた、溶液の総重量に基づいて約１重量％〜約２０重量％のシェル材料と、１種以上の溶媒と、を含む第二溶液を調製する工程であって、好ましくは、前記溶媒が水、エタノール、アセトン、ジクロロメタン、及びこれらの混合物を含む、工程と、
ｇ）所望により、溶液の総重量に基づいて０．０１重量％〜２重量％の可塑剤を前記第二溶液に添加する工程と、
ｈ）前記第二溶液又は前記第三組成物に懸濁させた、組成物の総重量に基づいて１重量％〜１０重量％の前記マトリックスを含む第三組成物を調製する工程と、
ｉ）所望により、溶液の総重量に基づいて０．０１重量％〜２重量％の外部構造系を前記第三組成物に添加する工程と、
ｊ）前記第二組成物を、２５℃〜１４０℃の温度にてチャンバ内でスプレーして、送達粒子を形成する工程であって、好ましくは前記スプレー方法が、二液ノズル、回転ディスク、高圧ノズル、単軸針電極、又はフローフォーカシングノズルを含み、好ましくは前記二液ノズルの直径が２００マイクロメートル〜３，５００マイクロメートル、より好ましくは１，０００マイクロメートル〜３，０００マイクロメートルであり、好ましくは前記フローフォーカシングノズルが、直径が２０マイクロメートル〜３５０マイクロメートル、より好ましくは４０〜２５０マイクロメートルの単独フローフォーカシングノズルを含み、好ましくは前記回転ディスクの直径が６０ミリメートル〜３５０ミリメートルであり、好ましくは前記単軸針電極の直径が１００マイクロメートル〜４，０００マイクロメートル、より好ましくは２５０〜３，０００、最も好ましくは５００マイクロメートル〜２，０００マイクロメートルである、工程と、
ｋ）前記送達粒子を回収する工程と、
ｌ）前記送達粒子を１つ以上の消費者製品補助成分、付着助剤ポリマー、又はこれらの混合物と組み合わせる工程と、を含む、方法。
【請求項１５】
消費者製品補助成分及び送達粒子を含む、消費者製品の製造方法であって、
ａ）第一溶液であって、前記第一溶液中に懸濁及び／又は溶解させた、溶液の総重量に基づいて約０．１重量％〜約１０重量％のマトリックス結合剤と、１種以上の溶媒と、を含む第一溶液を調製する工程であって、好ましくは、前記溶媒が水、エタノール、アセトン、ジクロロメタン、及びこれらの混合物を含む、工程と、
ｂ）前記第一溶液に懸濁及び／又は溶解させた、組成物の総重量に基づいて０．１重量％〜３０重量％のマトリックス有益剤を含む第一組成物を調製する工程と、
ｃ）所望により、溶液の総重量に基づいて０．０１重量％〜２重量％の外部構造系を前記第三組成物に添加する工程と、
ｄ）前記第一組成物を、２５℃〜１４０℃の温度にてチャンバ内でスプレーして、複数のマトリックス有益剤コアを含有するマトリックスを形成する工程であって、好ましくは前記スプレー方法が、二液ノズル、回転ディスク、高圧ノズル、単軸針電極、又はフローフォーカシングノズルを含み、好ましくは前記二液ノズルの直径が２００マイクロメートル〜３，５００マイクロメートル、より好ましくは１，０００マイクロメートル〜３，０００マイクロメートルであり、好ましくは前記フローフォーカシングノズルが、直径が２０マイクロメートル〜１０００マイクロメートル、より好ましくは４０〜７００マイクロメートル、最も好ましくは１００マイクロメートル〜３５０マイクロメートルの単独フローフォーカシングノズルを含み、好ましくは前記回転ディスクの直径が６０ミリメートル〜３５０ミリメートルであり、好ましくは前記単軸針電極の直径が１００マイクロメートル〜４，０００マイクロメートル、より好ましくは２５０〜３，０００、最も好ましくは５００マイクロメートル〜２，０００マイクロメートルである、工程と、
ｅ）前記マトリックス粒子を回収する工程と、
ｆ）第二溶液であって、前記第二溶液に懸濁及び／又は溶解させた、溶液の総重量に基づいて約１重量％〜約２０重量％のシェル材料と、１種以上の溶媒と、を含む第二溶液を調製する工程であって、好ましくは、前記溶媒が水、エタノール、アセトン、ジクロロメタン、及びこれらの混合物を含む、工程と、
ｇ）所望により、溶液の総重量に基づいて０．０１重量％〜２重量％の可塑剤と、前記第二溶液とを含む第二組成物の調整工程と、
ｈ）所望により、抗凝集剤と前記第二溶液又は第二組成物を組み合わせる工程と、
ｉ）前記マトリックスを噴流層で流動化する工程と、
ｊ）２５℃〜１００℃の温度にて、前記第二溶液又は第二組成物を前記マトリックス上にスプレーして、送達粒子を形成する工程と、
ｋ）前記送達粒子を回収する工程と、
ｌ）前記送達粒子を１つ以上の消費者製品補助成分、付着助剤ポリマー、又はこれらの混合物と組み合わせる工程と、を含む、方法。
【発明の詳細な説明】
【技術分野】
【０００１】
本出願は、有益剤を含む送達粒子、及びそのような送達粒子を含む製品、並びにそのような送達粒子及びそのような送達粒子を含む製品の製造及び使用法に関する。
【背景技術】
【０００２】
製品、例えば、消費者製品には、このような製品に及び／又はこのような製品と接触した部位に所望の効果−例えば、染み除去及び／又は漂白−をもたらし得る、１種以上の有益剤を含ませることができる。残念なことに、ある種の製品、例えば液体製品では、使用前に予形成過酸などの有益剤が分解される恐れがあり、あるいは有益剤によりこのような製品の成分が分解される恐れがある−このような懸念は、特に、製品のｐＨが約６超である場合に当てはまる。したがって、有益剤から成分を保護する保護系が所望される。この領域では様々な試みがなされてきたが、典型的には所望される程度の保護をもたらすことができないか、あるいは必要とされる時点で有益剤を放出させることができないかのいずれかの欠点を有している。
【発明の概要】
【発明が解決しようとする課題】
【０００３】
したがって、製品の使用時に利用可能であり、なおかつ、製品の保管時には製品を破損させることない封入された有益剤が必要とされている。出願者らは、予形成された過酸などの有益剤を含む送達粒子を開示し、有益剤はコアの形態であり、上記コアは、マトリックス結合剤中に埋め込まれている。組み合わせると、有益剤コアとマトリックス結合剤は、シェルにより封入されたマトリックスを形成する。理論に束縛されるものではないが、出願者らは、シェルは粒子周囲の環境に対するバリアとして機能しマトリックス結合剤は、粒子周囲の環境からシェルを通過して入ってくる任意の成分を吸収するシンク材料として機能すると考えている。シェル材料及びマトリックス結合剤材料は、粒子が、保管時には消費者製品などの製品中で安定であるものの、使用時には有益剤を放出するよう選択される。驚くべきことに、このような粒子の製造方法は有益剤を過度に変性させず、かつこのような粒子を製品に採用した場合、粒子は、安定である一方で、製品を目的通りに使用した際に所望される量の有益剤を放出する。
【課題を解決するための手段】
【０００４】
本開示は、第一層により有益剤を封入され、なおかつ第一層が第二材料により封入された粒子、及びこのような粒子を含む製品、並びにこのような粒子及びこのような粒子を含む製品の製造及び使用方法に関する。
【図面の簡単な説明】
【０００５】
【図１】シェルにより封入されたマトリックスを有する代表的な送達粒子。
【図２】シェルにより封入された／埋め込まれたマトリックスを複数有する代表的な送達粒子。
【発明を実施するための形態】
【０００６】
定義
本明細書で使用するとき、「消費者製品」は、販売される形態での使用を一般に意図する、ベビーケア、ビューティケア、衣類及びホームケア、ファミリーケア、フェミニンケア、ヘルスケア製品又はデバイスを意味する。このような製品としては、限定するものではないが、おむつ、よだれかけ、拭き取り用品；脱色、着色、染色、コンディショニング、シャンプー、スタイリングを含む毛髪（ヒト、イヌ、及び／又はネコ）の処理に関連する製品及び／又は方法；防臭剤及び制汗剤；パーソナルクレンジング；化粧品；上質な芳香剤を含む消費者使用のためのクリーム、ローション、及び他の局所塗布製品の塗布を含むスキンケア；並びにシェービング製品、エアフレッシュナー及び芳香送達系を含む空気ケア、車ケア、食器洗浄、布地コンディショニング（柔軟化及び／又はフレッシュニングを含む）、洗濯洗浄、洗濯及びすすぎ添加剤並びに／又はケア、床及び便器洗浄剤を含む硬質表面洗浄及び／又は処理、並びに消費者用又は業務用の他の洗浄などの、布地及びホームケア領域内の布地、硬質表面、及び任意の他の表面処理に関する製品及び／又は方法；トイレットペーパー、フェイシャルティッシュ、紙ハンカチ、及び／又は紙タオルに関連する製品及び／又は方法；タンポン、女性用ナプキン；練り歯磨き、歯用ジェル、歯用リンス、義歯接着剤、歯ホワイトニングを含む口腔ケアに関連する製品及び／又は方法；鎮咳薬及び感冒薬、鎮痛剤、処方薬などの市販のヘルスケア製品が挙げられる。
【０００７】
本明細書で使用するとき、用語「洗浄及び／又は処理組成物」は、特に断りのない限り、ビューティケア、布地及びホームケア製品を包含する消費者製品の部分集合である。このような製品としては、脱色、着色、染色、コンディショニング、シャンプー、スタイリングなどの毛髪（ヒト、イヌ及び／若しくはネコ）処理用製品及び／又はその処理に関する方法；脱臭剤及び制汗剤；パーソナルクレンジング；化粧品；クリーム、ローション、及び高級芳香剤を含む消費者使用のための他の局所塗布製品などのスキンケア；シェービング製品；エアフレッシュナー及び香り送達系、自動車ケア、食器洗浄、布地コンディショニング（柔軟化及び／若しくはフレッシュニングを含む）、洗濯洗浄、洗濯及びすすぎ添加剤及び／又はケア、床及び便器クリーナーなどの硬質表面の洗浄及び／又は処理、粒状若しくは粉末形態の、汎用若しくは「強力」洗浄剤、特に洗濯洗剤などの布地、布地及びホームケアの領域のうちの布地、硬質表面及び任意の他の表面の処理用製品；液体、ゲル又はペースト形態の汎用洗浄剤、特にいわゆる強力液体タイプ；高級布地用液体洗剤；手洗い用食器洗剤又は低負荷用食器洗剤、特に高発泡型のもの；家庭用及び業務用の様々なタブレット、粒、液体及びすすぎ補助型などの機械用食器洗剤；抗菌手洗い型、洗浄バー、マウスウォッシュ、義歯洗浄剤、歯磨き、自動車若しくはカーペットシャンプー、便器クリーナーなどの浴室洗剤などの、液体の洗剤及び消毒剤；ヘアシャンプー及びヘアリンス；シャワーゲル、高級芳香剤及び発泡入浴剤及び金属洗浄剤；並びに、漂白添加剤、及び「ステインスティック」などのクリーニング補助剤、又はドライヤー付与シート、乾燥、及び湿潤型拭取り布、及びパッドなどの前処理型基材付与製品、不織基材、及びスポンジ；並びに、全ての家庭用及び／又は業務用のスプレー剤、及びミスト剤；並びに／あるいは、練り歯磨き、歯用ゲル、歯用リンス、義歯接着剤、歯のホワイトニングなどの口腔ケアに関する方法が挙げられるが、これらに限定されない。
【０００８】
本明細書で使用するとき、用語「布地及び／又は硬質表面の洗浄及び／又は処理組成物」は、特に断りのない限り、粒状若しくは粉末形態の、汎用若しくは「強力」洗浄剤、特に洗濯洗剤；液体、ゲル若しくはペースト形態の汎用洗浄剤、特にいわゆる強力液体タイプ；高級布地用液体洗剤；手洗い用食器洗剤又は低負荷用食器洗剤、特に高発泡型のもの；家庭用及び業務用の様々なタブレット、粒、液体及びすすぎ補助型などの機械用食器洗剤；抗菌手洗い型、洗浄バー、自動車若しくはカーペットシャンプー、便器クリーナーなどの浴室洗剤などの、液体の洗剤及び消毒剤；並びに、金属洗浄剤、液体、固体及び／若しくは乾燥シート形態であり得る柔軟剤及び／又はフレッシュニング剤を含む布地コンディショニング剤；並びに、漂白添加剤及び「ステインスティック」などのクリーニング補助剤、又は、ドライヤー付与シート、乾燥、及び湿潤型拭取り布、及びパッドなどの前処理型基材付与製品、不織基材、及びスポンジ；並びに、スプレー剤及びミスト剤が挙げられる洗浄及び処理組成物を包含する、これらの部分集合である。適用可能であるこのような製品の全ては、標準形態又は濃縮形態であり得、又は特定の態様では、このような製品は、更には非水性であり得る程度に高濃縮された形態であり得る。
【０００９】
本明細書で使用するとき、「ａ」及び「ａｎ」のような冠詞は、特許請求の範囲で使用されるときには、１つ以上の請求又は記載されるものを意味するものと理解される。
【００１０】
本明細書で使用するとき、用語「包含する（include）」、「包含する（includes）」及び「包含している（including）」は、非限定的であるように意味される。
【００１１】
本明細書で使用するとき、用語「固体」は、顆粒、粉末、塊、及び錠剤の製品形態を含む。
【００１２】
本明細書で使用するとき、用語「流体」は、液体、ゲル、ペースト及びガスの製品形態を含む。
【００１３】
本明細書で用いるとき、用語「部位（situs）」には、紙製品、繊維、衣服、硬質表面、毛髪、及び皮膚が含まれる。
【００１４】
特記しない限り、成分又は組成物の濃度は全て、当該成分又は組成物の活性部分に関するものであり、このような成分又は組成物の市販の供給源に存在し得る不純物、例えば残留溶媒又は副生成物は除外される。
【００１５】
百分率及び比率は全て、特に指示しない限り、重量で計算される。百分率及び比率は全て、特に指示しない限り、組成物全体を基準にして計算される。
【００１６】
本明細書全体にわたって記載されるあらゆる最大数値限定は、それより小さいあらゆる数値限定を、そのような小さい数値限定が本明細書に明示的に記載されたものとして包含すると理解されるべきである。本明細書全体を通じて記載される最小数値限定は、それより大きいあらゆる数値限定を、そのような大きい数値限定が本明細書に明確に記載されているかのように含む。本明細書全体を通じて記載される数値範囲は、そのようなより広い数値範囲内に入るそれよりも狭いあらゆる数値範囲を、そのようなより狭い数値範囲が全て本明細書に明確に記載されているかのように含む。
【００１７】
消費者製品
一態様では、送達粒子であって、シェル材料及び１つ以上のマトリックス含み、上記シェルは、上記１つ以上のマトリックスを封入し又は埋め込み、上記１つ以上のマトリックスは、１つ以上のマトリックス結合剤及び複数のマトリックス有益剤コアを含み、上記マトリックス有益剤コアは上記１つ以上のマトリックス結合剤中に分散しており、上記送達粒子の平均粒径分布は約１０マイクロメートル〜約２５０マイクロメートル、約２０マイクロメートル〜約１５０マイクロメートル、又は更に約３５マイクロメートル〜約９０マイクロメートルである、送達粒子が開示される。
【００１８】
上記送達粒子の一態様では、上記マトリックス結合剤は小分子用のシンクを含んでもよく、上記粒子の分子量は約５００グラム／ｍｏｌ〜約１８グラム／ｍｏｌ、約３００グラム／ｍｏｌ〜約１８グラム／ｍｏｌ、又は更には約１００グラム／ｍｏｌ〜約２８グラム／ｍｏｌであってもよい。一態様では、上記小分子は、水、有機材料及びこれらの混合物から選択され得る。一態様では、上記有機材料は、エタノール、プロピレングリコール、酢酸エチル、トランス−２−ヘキサナール、シス−３ヘキセノール、メチルヘプテノン、シンナムアルバ（cinnamalva）、ベンズアルデヒド、ベンジルアルコール及びこれらの混合物からなる群から選択され得る。理論により制限されるものではないが、小分子は拡散勾配全体に広がるネットワークへと吸引され、上記ネットワークは物質シ結合剤により形成され、上記物質結合剤は膨潤し、マトリックスとシェルの間の境界面の密封が促進される場合さえあり得ると考えられる。膨潤は、以降に詳細に記載される遠心保持試験方法により測定することができる。
【００１９】
上記送達粒子の一態様では、
ａ）上記物質結合剤は、水溶性及び／又は水分散性非還元型多糖、水溶性及び／又は水分散性アクリレート誘導体、並びにこれらの混合物から選択される材料を含んでもよく、
ｂ）上記シェルは、ポリビニルアルコール、ポリ酢酸ビニル、酢酸セルロース、ポリ（ビニル−アルコール−ｃｏ−酢酸ビニル）、アクリル酸−エチレン−酢酸ビニルコポリマー、及びこれらの混合物からなる群から選択される材料を含んでもよく、
ｃ）上記マトリックス有益剤コアは、予形成過酸、金属触媒、漂白活性化剤、漂白増進剤、ジアシルペルオキシド、過酸化水素源、及び酵素からなる群から選択される材料を含んでもよい。
【００２０】
上記送達粒子の一態様では、
ａ）上記金属触媒は、ジクロロ−１，４−ジエチル−１，４，８，１１−テトラアザビシクロ（tetraaazabicyclo）［６．６．２］ヘキサデカンマンガン（ＩＩ）；ジクロロ−１，４−ジメチル−１，４，８，１１−テトラアザビシクロ（tetraaazabicyclo）［６．６．２］ヘキサデカンマンガン（ＩＩ）、及びこれらの混合物からなる群から選択される材料を含んでもよく、
ｂ）上記漂白増進剤は、２−［３−［（２−ヘキシルドデシル）オキシ］−２−（スルホオキシ）プロピル］−３，４−ジヒドロイソキノリニウム（分子内塩）、３，４−ジヒドロ−２−［３−［（２−ペンチルウンデシル）オキシ］−２−（スルホオキシ）プロピル］イソキノリニウム（分子内塩）、２−［３−［（２−ブチルデシル）オキシ］−２−（スルホオキシ）プロピル］−３，４−ジヒドロイソキノリニウム（分子内塩）、３，４−ジヒドロ−２−［３−（オクタデシルオキシ）−２−（スルホオキシ）プロピル］イソキノリニウム（分子内塩）、２−［３−（ヘキサデシルオキシ）−２−（スルホオキシ）プロピル］−３，４−ジヒドロイソキノリニウム（分子内塩）、３，４−ジヒドロ−２−［２−（スルホオキシ）−３−（テトラデシルオキシ）プロピル］イソキノリニウム（分子内塩）、２−［３−（ドデシルオキシ）−２−（スルホオキシ）プロピル］−３，４−ジヒドロイソキノリニウム（分子内塩）、２−［３−［（３−ヘキシルデシル）オキシ］−２−（スルホオキシ）プロピル］−３，４−ジヒドロイソキノリニウム（分子内塩）、３，４−ジヒドロ−２−［３−［（２−ペンチルノニル）オキシ］−２−（スルホオキシ）プロピル］イソキノリニウム（分子内塩）、３，４−ジヒドロ−２−［３−［（２−プロピルヘプチル）オキシ］−２−（スルホオキシ）プロピル］イソキノリニウム（分子内塩）、２−［３−［（２−ブチルオクチル）オキシ］−２−（スルホオキシ）プロピル］−３，４−ジヒドロイソキノリニウム（分子内塩）、２−［３−（デシルオキシ）−２−（スルホオキシ）プロピル］−３，４−ジヒドロイソキノリニウム（分子内塩）、３，４−ジヒドロ−２−［３−（オクチルオキシ）−２−（スルホオキシ）プロピル］イソキノリニウム（分子内塩）、２−［３−［（２−エチルヘキシル）オキシ］−２−（スルホオキシ）プロピル］−３，４−ジヒドロイソキノリニウム（分子内塩）及びこれらの混合物からなる群から選択される材料を含んでもよく、
ｃ）上記漂白活性化剤は、テトラアセチルエチレンジアミン（ＴＡＥＤ）、ベンゾイルカプロラクタム（ＢｚＣＬ）、４−ニトロベンゾイルカプロラクタム、３−クロロベンゾイルカプロラクタム、ベンゾイルオキシベンゼンスルホネート（ＢＯＢＳ）、ノナノイルオキシベンゼンスルホネート（ＮＯＢＳ）、安息香酸フェニル（ＰｈＢｚ）、デカノイルオキシベンゼンスルホネート（Ｃ１０−ＯＢＳ）、ベンゾイルバレロラクタム（ＢＺＶＬ）、オクタノイルオキシベンゼンスルホネート（Ｃ８−ＯＢＳ）、過加水分解可能なエステル、４−［Ｎ−（ノナオイル）アミノヘキサノイルオキシ］−ベンゼンスルホン酸ナトリウム（ＮＡＣＡ−ＯＢＳ）、ドデカノイルオキシベンゼンスルホネート（ＬＯＢＳ又はＣ１２−ＯＢＳ）、１０−ウンデセノイルオキシベンゼンスルホネート（１０位に不飽和を有するＵＤＯＢＳ又はＣ１１−ＯＢＳ）、デカノイルオキシ安息香酸（ＤＯＢＡ）、（６−オクタンアミドカプロイル）オキシベンゼンスルホネート、（６−ノナンアミドカプロイル）オキシベンゼンスルホネート、６−デカンアミドカプロイル）オキシベンゼンスルホネート及びこれらの混合物からなる群から選択される材料を含んでもよく、
ｄ）上記予形成過酸は、過硫酸、過ヨウ素酸、過炭酸、過カルボン酸、及び上記酸の塩からなる群から選択される材料を含んでもよく、一態様では、上記過カルボン酸及びその塩は、フタルイミドペルオキシヘキサン酸、１，１２−ジペルオキシドデカン二酸、又はモノペルオキシフタル酸（マグネシウム塩六水和物）、アミドペルオキシ酸を含み、一態様では、上記アミドペルオキシ酸は、Ｎ，Ｎ’−テレフタロイル−ジ（６−アミノカプロン酸）、ペルオキシこはく酸（ＮＡＰＳＡ）又はペルオキシアジピン酸（ＮＡＰＡＡ）のいずれかのモノノニルアミド、Ｎ−ノナノイルアミノペルオキシカプロン酸（ＮＡＰＣＡ）、及びこれらの混合物を含み、一態様では、上記予形成過酸は、フタルイミドペルオキシヘキサン酸を含んでよく、好適なフタルイミドペルオキシヘキサン酸としては、ＥＵＲＥＣＯ（商標）Ｗ、ＥＵＲＥＣＯ（商標）ＷＭ１、ＥＵＲＥＣＯ（商標）ＬＸ及びこれらの混合物が挙げられ、
ｅ）上記ジアシルペルオキシドは、ジノナノイルペルオキシド、ジデカノイルペルオキシド、ジウンデカノイルペルオキシド、ジラウロイルペルオキシド、ジベンゾイルペルオキシド、ジ−（３，５，５−トリメチルヘキサノイル）ペルオキシド及びこれらの混合物からなる群から選択される材料を含んでもよく、一態様では、上ジアシルペルオキシドは包摂ジアシルペルオキシドを含み、
ｆ）上記過酸化水素源は、過ホウ酸塩、過炭酸塩、ペルオキシ水和物、過硫酸塩、及びこれらの混合物からなる群から選択される材料を含んでもよく、一態様では、上記過酸化水素源は過ホウ酸ナトリウムを含み、一態様では、上記過ホウ酸ナトリウムは、一水和物又は四水和物、ピロリン酸ナトリウム過酸化水和物、尿素過酸化水和物又はリン酸三ナトリウム過酸化水和物及びこれらの混合物を含み、並びに
ｇ）上記酵素は、ペルオキシダーゼ、プロテアーゼ、リパーゼ、ホスホリパーゼ、セロビオヒドロラーゼ、セロビオースデヒドロゲナーゼ、エステラーゼ、クチナーゼ、ペクチナーゼ、マンナナーゼ、ペクチン酸リアーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、グルカナーゼ、アラビノシダーゼ、ヒアルロニダーゼ、コンドロイチナーゼ、ラッカーゼ、アミラーゼ、及びこれらの混合物からなる群から選択される材料を含んでもよい。
【００２１】
上記送達粒子の一態様では、上記マトリックス有益剤コアは、上記マトリックス有益剤コア材料を組み合わせて含み得る。一態様では、上記マトリックス有益剤コア材料は凝集させてもよい。一態様では、上記コア材料の上記組み合わせは、上記マトリックス結合剤に埋め込んでマトリックスを形成し、上記マトリックスはシェルに封入する。
【００２２】
上記送達粒子の一態様では、
ａ）上記ポリビニルアルコールは、加水分解度が約８０ｍｏｌ％〜約９９ｍｏｌ％、又は約８７ｍｏｌ％〜約８９ｍｏｌ％であり、かつ分子量が約１０，０００グラム／ｍｏｌ〜約７５０，０００グラム／ｍｏｌ、又は約３０，０００グラム／ｍｏｌ〜約３００，０００グラム／ｍｏｌのポリビニルアルコール変異体を含んでもよく、
ｂ）上記ポリ酢酸ビニルは、重合度が約１５０〜５，０００，約１５０〜２，０００又は更には約１９０〜約１，０００のポリ酢酸ビニル変異体を含んでもよく、
ｃ）上記酢酸セルロースは、分子量約３０，０００〜約５０，０００グラム／ｍｏｌの酢酸セルロース変異体を含んでもよい。
【００２３】
上記シェルの一態様では、上記シェルは、約４〜約９のｐＨ範囲内ではｐＨ反応性でない材料を含んでもよい。
【００２４】
上記シェルの一態様では、上記シェルは良好なフィルム形成ポリマーを含む。
【００２５】
上記シェルの一態様では、上記シェル材料は誘電率が約３．２〜約９．３のポリマーを含んでもよい。
【００２６】
上記送達粒子の一態様では、上記シェルは、上記シェルのポリマーの誘電率を減少させ得る有機粘土を更に含み得る。好適な有機粘土は、有機的に修飾された、例えば、脂肪族アミンにより修飾されたモンモリロナイト粘土を含んでよい。
【００２７】
上記送達粒子の一態様では、
ａ）上記水溶性及び／又は水分散性非還元型多糖は、キサンタンガム、ダイユータンガム、グアーガム、ジェランガム、カラギーナン、相乗的なゴム系、及びこれらの混合物からなる群から選択される材料を含んでもよい。好適なキサンタンガムとしては、Ｋｅｌｚａｎ（登録商標）ＡＳＸ−Ｔ、Ｋｅｌｚａｎ（登録商標）ＡＳＸ、Ｋｅｌｚａｎ（登録商標）−Ｔ、Ｔｉｃａｘａｎ（登録商標）が挙げられ、好適なジェランガムとしては、Ｋｅｌｃｏｇｅｌ（登録商標）ＣＧ−ＬＡ、Ｋｅｌｃｏｇｅｌ（登録商標）ＣＧ−ＨＡが挙げられ、好適なカラギーナンガムとしては、Ｇｅｎｕｖｉｓｃｏ（登録商標）、Ｇｅｎｕｇｅｌ（登録商標）が挙げられ、好適な相乗的なガム系としては、多機能ガム（Action gum）が挙げられる。並びに
ｂ）上記水溶性及び／又は水分散性アクリルレート誘導体のガラス転移温度は約５０℃〜約１３０℃であり、又は更には約９０℃〜約１１５℃であってもよい。理論により制限されるものではないが、水溶性及び／又は水分散性アクリレート誘導体は、粒子の製造時の温度がこれらの材料のガラス転移温度を下回る場合に、より良好なフィルム形成特性と、より大きな膨潤容量を有すると考えられる。好適なアクリレート誘導体としては、Ａｌｃｏｇｕｍ（登録商標）Ｌ−３１、Ａｌｃｏｇｕｍ（登録商標）Ｌ−２２９、Ａｌｃｏｇｕｍ（登録商標）Ｌ−２９９、Ａｌｃｏｇｕｍ（登録商標）１３７０、Ａｌｃｏｇｕｍ（登録商標）Ｌ−２５５、Ａｌｃｏｇｕｍ（登録商標）Ｌ−２３７、Ａｌｃｏｇｕｍ（登録商標）Ｌ−２５１、Ａｌｃｏｇｕｍ（登録商標）Ｌ−２９６−Ｗ、Ａｃｕｓｏｌ（商標）８２０、及びＡｃｕｓｏｌ（商標）８０１Ｓが挙げられる。
【００２８】
上記送達粒子の一態様では、上記マトリックス結合剤は、約２０℃〜約１５０℃の温度、又は更には約６０℃〜約１５０℃の温度にて固体である物質を含んでもよい。
【００２９】
上記送達粒子の一態様では、上記マトリックス結合剤は、アニオン性の非還元型多糖を含み得る。
【００３０】
上記送達粒子の一態様では、上記マトリックス結合剤はアニオン性非還元型多糖を含んでもよく、このマトリックス結合剤は、上記アニオン性の非還元型多糖の（負）電荷をマスクするシェル材料、例えば誘電率が約３．２〜約８．３であるポリマーを含むシェル材料などにより封入することができる。
【００３１】
上記送達粒子の一態様では、上記マトリックス結合剤の遠心時保持用量（centrifuge retention capacity）は、約２グラム／グラム〜約５００グラム／グラム、約１０グラム／グラム〜約３００グラム／グラム、又は更には約５０グラム／グラム〜約１５０グラム／グラムである。
【００３２】
上記送達粒子の一態様では、上記送達粒子は、
ａ）１つ以上のマトリックス結合剤と、同一の若しくは異なる材料を含み得る複数のマトリックス有益剤コアとを含み得る、単一のマトリックス、又は
ｂ）複数のマトリックスであって、上記マトリックスのそれぞれが独立して、１つ以上のマトリックス結合剤と、同一の若しくは異なる材料を含み得る複数のマトリックス有益剤コアとを含み得る、複数のマトリックス、を含んでもよく、上記複数のマトリックスは、上記シェル材料により封入され又は埋め込まれる。
【００３３】
上記送達粒子の一態様では、上記複数のマトリックス有益剤コアは、同一の若しくは異なる材料を含んでもよく、上記材料は有益剤であってもよい。
【００３４】
上記送達粒子の一態様では、上記送達粒子の安定度指数は約０．８０〜約１、約０．９０〜約１、又は更には約０．９５〜約１であってもよい。
【００３５】
上記送達粒子の一態様では、上記送達粒子の放出指数は約０．２５〜約１、約０．５０〜約１、又は更には約０．８５〜約１であってよい。
【００３６】
上記送達粒子の一態様では、上記送達粒子のマトリックス材料対シェル材料の質量比は約２０：８０〜約９０：５、約３５：６５〜約９０：１０、又は更には約４５：５５〜約８０：２０であってもよい。
【００３７】
上記送達粒子の一態様では、上記送達粒子のマトリックス結合剤対シェルの質量比は約５０：５０〜約３：９７、約３５：６５〜１０：９０、又は更には約２２：７５〜約１５：８５である。
【００３８】
上記送達粒子の一態様では、上記送達粒子は更に外層を含んでもよく、上記外層は、第２シェル材料、付着助剤ポリマー及び／又はこれらの混合物を含んでもよく、一態様では、上記外層は、上記送達粒子を完全に又は部分的にコーティング及び／又は封入し得る。一態様では、上記第二シェル材料は、ポリビニルアルコール、ポリ酢酸ビニル、酢酸セルロース、ポリ（ビニル−アルコール−ｃｏ−酢酸ビニル）、アクリル酸−エチレン−酢酸ビニルコポリマー、セラック、フタル酸ヒドロキシプロピルメチルセルロース、酢酸フタル酸セルロース、リグニン、及びこれらの混合物を含み得る。一態様では、上記付着助剤ポリマーは、カチオン性ポリマー、アニオン性ポリマー又はこれらの混合物を含み得る。理論により制限されるものではないが、上記付着助剤ポリマーは、表面に対する上記マトリックス有益剤コアの付着性を改善し、クリーニング性能を改善すると考えられる。
【００３９】
上記付着助剤ポリマーの一態様では、上記カチオン性ポリマーは、
ａ）第四級アンモニウム、プロトン化された第一級アミン、プロトン化された第二級アミン、プロトン化された第三級アミン、及びこれらの組み合わせからなる群から選択される部分を含んでもよく、並びに
ｂ）上記アニオン性ポリマーは、プロトン化されていないカルボン酸基、プロトン化されていないアルコール基、プロトン化されていないチオール基、プロトン化されていない第一級アミン、プロトン化されていない第二級アミン、及びこれらの組み合わせからなる群から選択される部分を含んでもよい。
【００４０】
上記送達粒子の一態様では、
ａ）上記カチオン性ポリマーは、
（ｉ）タンパク質（一態様ではポリペプチド）、
（ｉｉ）多糖（一態様では、上記多糖は、デンプン、グアー、セルロース、及びこれらの混合物らなる群から選択される材料を含んでもよく、一態様では、上記セルロースはヒドロキシルエチルセルロースを含んでもよい）、
（ｉｉｉ）ポリアミド、
（ｉｖ）ポリ（メタ）アクリルアミド、
（ｖ）ポリエーテル、
（ｖｉ）ポリエステル、
（ｖｉｉ）ポリオキシメチレン、
（ｖｉｉｉ）シリコーン、
（ｉｘ）ポリウレタン、
（ｘ）ポリビニルエーテル、
（ｘｉ）ポリエチレン（プロピレン）オキシド、
（ｘｉｉ）ポリビニルアルコール、
（ｘｉｉｉ）ポリ酢酸ビニル、
（ｘｉｖ）ポリビニルホルマール、
（ｘｖ）ポリビニルブチラール、
（ｘｖｉ）ポリビニルメチルエーテル、
（ｘｖｉｉ）ポリビニルピロリドン、
（ｘｖｉｉｉ）ポリビニルメチルオキサゾリドン、
（ｘｉｘ）ポリビニルアミン、
（ｘｘ）ポリビニルピリジン、
（ｘｘｉ）ポリイミダゾリン、
（ｘｘｉｉ）ポリ（ジアリルジメチルアンモニウムクロリド）（ＤＡＭＡＣ）、
（ｘｘｉｉｉ）ポリ（Ｎ，Ｎ−ジメチル−３，５−メチレンピペリジミウムクロリド）、
（ｘｘｉｖ）ポリビニルアミンとポリビニルアルコール（polvyinylalcohol）とのコポリマー、
（ｘｘｖ）アミンのオリゴマー（一態様では、ジエチレントリアミン、エチレンジアミン、ビス（３−アミノプロピル）ピペラジン、Ｎ，Ｎ−ビス−（３−アミノプロピル）メチルアミン、トリス（２−アミノエチル）アミン及びこれらの混合物（mitures））、
（ｘｘｖｉ）ポリエチレンイミン（polyethyleneimime）
（ｘｘｖｉｉ）誘導体化ポリエチレンイミン（一態様では、エトキシ化ポリエチレンイミン）、
（ｘｘｖｉｉｉ）一態様ではカチオン性界面活性剤、
（ｘｘｉｘ）ポリブタジエン、ポリイソプレン、ポリブタジエン／スチレン、ポリブタジエン／アクリロニトリル、カルボキシル末端化ポリブタジエン／アクリロニトリル又はこれらの組み合わせからなる骨格鎖上にカルボン酸部分、アミン部分、ヒドロキシル部分、及びニトリル部分からなる部分から選択される部分を少なくとも２つ含み得るポリマー化合物、及び
（ｘｘｘ）これらの混合物及び／又はコポリマー、からなる群から選択される材料を含んでもよく、かつ
ｂ）上記アニオン性ポリマーは、
（ｉ）タンパク質（一態様ではポリペプチド）、
（ｉｉ）多糖（一態様では、上記多糖は、デンプン、グアー、セルロース、及びこれらの混合物からなる群から選択される材料を含んでよく、一態様では、上記セルロースは、カルボキシルメチルセルロースを含んでもよい）、
（ｉｉｉ）ポリアミド、
（ｉｖ）ポリ（メタ）アクリルアミド、
（ｖ）ポリエーテル、
（ｖｉ）ポリエステル、
（ｖｉｉ）ポリオキシメチレン、
（ｖｉｉｉ）シリコーン、
（ｉｘ）ポリウレタン、
（ｘ）ポリビニルエーテル、
（ｘｉ）ポリエチレン（プロピレン）オキシド、
（ｘｉｉ）ポリビニルアルコール、
（ｘｉｉｉ）ポリ酢酸ビニル、
（ｘｉｖ）ポリビニルホルマール、
（ｘｖ）ポリビニルブチラール、
（ｘｖｉ）ポリビニルメニルエーテル、
（ｘｖｉｉ）ポリビニルピロリドン、
（ｘｖｉｉｉ）ポリビニルメニルオキサゾリドン、
（ｘｉｘ）ポリビニルアミン、
（ｘｘ）ポリビニルピリジン、
（ｘｘｉ）ポリアクリレート、
（ｘｘｉｉ）ポリビニルアミンとポリビニルアルコール（polvyinylalcohol）とのコポリマー、
（ｘｘｉｉｉ）ポリブタジエン、ポリイソプレン、ポリブタジエン／スチレン、ポリブタジエン／アクリロニトリル、カルボキシル末端化ポリブタジエン／アクリロニトリル又はこれらの組み合わせからなる骨格鎖上にカルボン酸部分、アミン部分、ヒドロキシル部分、及びニトリル部分からなる部分から選択される部分を少なくとも２つ含むポリマー化合物、及び
（ｘｘｉｖ）これらの混合物及び／又はコポリマー、からなる群から選択される材料を含んでもよい。
【００４１】
上記送達粒子の一態様では、
ａ）上記カチオン性ポリマーは、ポリペプチド、デンプン、グアー、セルロース、及びこれらの混合物からなる群から選択される材料を含んでもよく、
ｂ）上記アニオン性ポリマーは、ポリペプチド、デンプン、グアー、セルロース、及びこれらの混合物からなる群から選択される材料を含んでもよい。
【００４２】
上記送達粒子の一態様では、
ａ）上記カチオン性ポリマーはヒドロキシルエチルセルロースを含んでもよく、
ｂ）上記アニオン性ポリマーはカルボキシルメチルセルロースを含んでもよい。
【００４３】
上記送達粒子の一態様では、上記付着助剤ポリマーは、以下の構造を有する機能ポリマー（efficiency polymers）を１つ以上含んでもよい：
【化１】
2013538885.tif 000003
式中、
ａ）「ａ」及び「ｂ」は、約５０〜１００，０００の整数値又は平均値（実数）であり、
ｂ）各Ｒ１は独立してＨ、ＣＨ３、（Ｃ＝Ｏ）Ｈ、アルキレン、不飽和Ｃ−Ｃ結合を有するアルキレン、ＣＨ２−ＣＲＯＨ、（Ｃ＝Ｏ）−ＮＨ−Ｒ、（Ｃ＝Ｏ）−（ＣＨ２）ｎ−ＯＨ、（Ｃ＝Ｏ）−Ｒ、（ＣＨ２）ｎ−Ｅ、−（ＣＨ２−ＣＨ（Ｃ＝Ｏ））ｎ−ＸＲ、−（ＣＨ２）ｎ−ＣＯＯＨ、−（ＣＨ２）ｎ−ＮＨ２、−ＣＨ２）ｎ−（Ｃ＝Ｏ）ＮＨ２から選択され、添え字「ｎ」は約０〜約２４の整数であり、Ｅは求電子基であり、Ｒは飽和又は不飽和アルカン、ジアルキルシロキシ、ジアルキルオキシ、アリール、アルキル化アリールであり、更に、シアノ、ＯＨ、ＣＯＯＨ、ＮＨ２、ＮＨＲ、スルホネート、スルファート、−ＮＨ２、四級化アミン、チオール、アルデヒド、アルコキシ、ピロリドン、ピリジン、イミダゾール、イミダゾリニウムハロゲン化物、グアニジン、ホスフェート、単糖、オリゴ又は多糖からなる群から選択される部分を含有してもよく、
ｃ）Ｒ２又はＲ３は存在しなくても存在してもよく、
（ｉ）Ｒ３が存在する場合、各Ｒ２は独立して、−ＮＨ２、−ＣＯＯ−、−（Ｃ＝Ｏ）−、−Ｏ−、−Ｓ−、−ＮＨ−（Ｃ＝Ｏ）−、−ＮＲ１−、ジアルキルシロキシ、ジアルキルオキシ、フェニレン、ナフタレン、アルキレンオキシからなる群から選択され、かつ各Ｒ３は独立して、Ｒ１と同様の群から選択され、
（ｉｉ）Ｒ３が存在しない場合、各Ｒ２は独立して、−ＮＨ２、−ＣＯＯ−、−（Ｃ＝Ｏ）−、−Ｏ−、−Ｓ−、−ＮＨ−（Ｃ＝Ｏ）−、−ＮＲ１−、ジアルキルシロキシ、ジアルキルオキシ、フェニレン、ナフタレン、アルキレンオキシからなる群から選択され、かつ各Ｒ３は独立して、Ｒ１と同様の群から選択され、
（ｉｉｉ）Ｒ２が存在しない場合、各Ｒ３は独立して、Ｒ１と同様の群から選択され、
ｄ）上記１つ以上の機能ポリマーの平均分子量は約１，０００Ｄａ〜約５０，０００，０００Ｄａ、約５，０００Ｄａ，〜約２５，０００，０００Ｄａ、約１０，０００Ｄａ〜約１０，０００，０００Ｄａ、又は更には約３４０，０００Ｄａ〜約１，５００，０００Ｄａであってもよく、ポリビニルホルムアミドに関し、加水分解度は約５％〜約９５％、約７％〜約６０％、又は更には約１０％〜約４０％であってよく、及び／又は電荷密度は約１ｍｅｑ／ｇ（機能ポリマー）〜約２３ｍｅｑ／ｇ（機能ポリマー）、約１．２ｍｅｑ／ｇ（機能ポリマー）〜約１６ｍｅｑ／ｇ（機能ポリマー）、約２ｍｅｑ／ｇ（機能ポリマー）〜約１０ｍｅｑ／ｇ（機能ポリマー）、又は更には約１ｍｅｑ／ｇ（機能ポリマー）〜約４ｍｅｑ／ｇ（機能ポリマー）であってよい。
【００４４】
上記送達粒子の一態様では、上記１つ以上の機能ポリマーは、ポリビニルアミン、ポリビニルホルムアミド、及びポリアリールアミン、並びにこれらのコポリマーからなる群から選択されてよく、上記１つ以上の機能ポリマーは、
ａ）平均分子量が約１，０００Ｄａ〜約５０，０００，０００Ｄａ，約５，０００Ｄａ，〜約２５，０００，０００Ｄａ，約１０，０００Ｄａ〜約１０，０００，０００Ｄａ、又は更には約３４０，０００Ｄａ〜約１，５００，０００Ｄａであり、
ｂ）上記ポリビニルホルムアミドに関し、加水分解度は約５％〜約９５％、約７％〜約６０％、又は更には約１０％〜約４０％であり、及び／又は
ｃ）電荷密度は約１ｍｅｑ／ｇ（機能ポリマー）〜約２３ｍｅｑ／ｇ（機能ポリマー）、約１．２ｍｅｑ／ｇ（機能ポリマー）〜約１６ｍｅｑ／ｇ（機能ポリマー）、約２ｍｅｑ／ｇ（機能ポリマー）〜約１０ｍｅｑ／ｇ（機能ポリマー）、又は更には約１ｍｅｑ／ｇ（機能ポリマー）〜約４ｍｅｑ／ｇ（機能ポリマー）である。
【００４５】
上記送達粒子の一態様では、上記付着助剤ポリマーはポリビニルホルムアミドを１つ以上含んでよく、上記ポリビニルホルムアミドは、
ａ）平均分子量が約１，０００Ｄａ〜約５０，０００，０００Ｄａ，約５，０００Ｄａ〜約２５，０００，０００Ｄａ，約１０，０００Ｄａ〜約１０，０００，０００Ｄａ、又は更には約３４０，０００Ｄａ〜約１，５００，０００Ｄａであり、
ｂ）上記ポリビニルホルムアミドに関し、加水分解度は約５％〜約９５％、約７％〜約６０％、又は更には約１０％〜約４０％であり、及び／又は
ｃ）電荷密度は約１ｍｅｑ／ｇ（機能ポリマー）〜約２３ｍｅｑ／ｇ（機能ポリマー）、約１．２ｍｅｑ／ｇ（機能ポリマー）〜約１６ｍｅｑ／ｇ（機能ポリマー）、約２ｍｅｑ／ｇ（機能ポリマー）〜約１０ｍｅｑ／ｇ（機能ポリマー）、又は更には約１ｍｅｑ／ｇ（機能ポリマー）〜約４ｍｅｑ／ｇ（機能ポリマー）である。
【００４６】
消費者製品の一態様では、上記消費者製品は、上記送達粒子及び補助剤成分を含み得る。
【００４７】
上記消費者製品の一態様では、上記消費者製品は、外部構造系、抗凝集剤、及びこれらの混合物からなる群から選択される材料を含んでもよい。
【００４８】
上記消費者製品の一態様では、上記外部構造系は、水添硬化ヒマシ油誘導体を含み得る。
【００４９】
上記消費者製品の一態様では、上記消費者製品は、次のものから選択される成分を含み得る：
ａ）アニオン性界面活性剤及び／又は非イオン性界面活性剤（一態様ではアニオン性界面活性剤）、
ｂ）溶媒（一態様では上記溶媒はブトキシプロポキシプロパノール及び／又はグリセロールを含み得る）、
ｃ）水（一態様では、組成物の総重量に基づいて、約１０重量％未満の水、又は約２重量％〜約１０重量％の水）、
ｄ）所望により次のものからなる群から選択される１つ以上の成分：
（ｉ）粘土洗浄ポリマーと適合性のある漂白剤（一態様では、上記粘土洗浄ポリマーと適合性のある漂白剤は、エトキシ化ヘキサメチレンジアミンジメチル第四級アンモニウム化合物、エトキシサルフェート化ヘキサメチレンジアミンジメチル第四級アンモニウム化合物、及びこれらの混合物からなる群から選択され得る）、
（ｉｉ）増白剤（一態様では、上記増白剤は、４，４’−ビス（２−スルホスチリル）ビフェニル及び／又はビス（スルホベンゾフラニル）ビフェニル二ナトリウムから選択される蛍光増白剤を含み得る）、
（ｉｉｉ）ビルダー（一態様では、上記ビルダーはクエン酸ナトリウムを含み得る）、
（ｉｖ）キレート化剤（一態様では、上記キレート化剤は１−ヒドロキシエチリデン−１，１−ジホスホン酸（ＨＥＤＰ）を含み得る）。
【００５０】
上記消費者製品の一態様では、上記消費者製品は、
ａ．０．０００１重量％〜８重量％の洗浄酵素を含み、並びに
ｂ．６．５〜１０．５の正味ｐＨを有する。
【００５１】
上記消費者製品の一態様では、上記洗浄酵素は、リパーゼ、プロテアーゼ、アミラーゼ、セルラーゼ、ペクチン酸リアーゼ、キシログルカナーゼ、及びこれらの混合物からなる群から選択される酵素を含み得る。
【００５２】
上記消費者製品の一態様では、上記消費者製品は、
ａ．０．１重量％〜１２重量％の漂白剤又は漂白剤系を含み、並びに
ｂ．６．５〜１０．５の正味ｐＨを含んでもよい。
【００５３】
上記消費者製品の一態様では、上記消費者製品は水溶性パウチ材により封入されてもよく、一態様では、上記パウチ材はポリビニルアルコール、ポリビニルアルコールコポリマー、ヒドロキシプロピルメチルセルロース（ＨＰＭＣ）、及びこれらの混合物を含み得る。
【００５４】
本発明を実施するのに好適な材料及び装置は次から得られる：Ｇｅｒｍａｎｙ  ＳＳＢＳｔｒｏｅｖｅｒ  ＧｍｂＨ  ＆  Ｃｏ．（ＫＧ，Ｍｕｇｇｅｎｂｕｒｇ  １１，２８２１７  Ｂｒｅｍｅｎ，Ｇｅｒｍａｎｙ）、Ｓｉｇｍａ  Ａｌｄｒｉｃｈ  ＮＶ／ＳＡ（Ｋａｒｄｉｎａａｌ  Ｃａｒｄｉｊｎｐｌｅｉｎ  ８，２８８０  Ｂｏｒｎｅｍ，Ｂｅｌｇｉｕｍ）、ＰｒｏＣｅｐＴ  ｎｖ，（Ｒｏｓｔｅｙｎｅ  ４，９０６０  Ｚｅｌｚａｔｅ，Ｂｅｌｇｉｕｍ）、ＧＥＡ  Ｐｒｏｃｅｓｓ  Ｅｎｇｉｎｅｅｒｉｎｇ  Ｉｎｃ．（９１６５  Ｒｕｍｓｅｙ  Ｒｏａｄ，Ｃｏｌｕｍｂｉａ，ＭＤ  ２１０４５，ＵＳ）、Ｍｅｔｔｌｅｒ−Ｔｏｌｅｄｏ，Ｉｎｃ．（１９００  Ｐｏｌａｒｉｓ  Ｐａｒｋｗａｙ，Ｃｏｌｕｍｂｕｓ，ＯＨ，４３２４０，ＵＳ）、ＩＫＡ−Ｗｅｒｋｅ  ＧｍｂＨ  ＆  Ｃｏ．（ＫＧ，Ｊａｎｋｅ  ＆  Ｋｕｎｋｅｌ  Ｓｔｒ．１０，７９２１９  Ｓｔａｕｆｅｎ，Ｇｅｒｍａｎｙ）、Ａｌｆａ  Ａｅｓａｒ  ＧｍｂＨ  ＆  Ｃｏ（ＫＧ，Ｚｅｐｐｅｌｉｎｓｔｒａｓｓｅ  ７，７６１８５  Ｋａｒｌｓｒｕｈｅ，Ｇｅｒｍａｎｙ）、Ｅａｓｔｍａｎ  Ｃｈｅｍｉｃａｌ  Ｃｏｍｐａｎｙ（ＰＯ  Ｂｏｘ  ４３１，Ｋｉｎｇｓｐｏｒｔ，Ｔｅｎｎｅｓｓｅｅ  ３７６６２，ＵＳ）、Ｇｌａｔｔ  Ｉｎｇｅｎｉｅｕｒｔｅｃｈｎｉｋ  ＧｍｂＨ（Ｎｏｒｄｓｔｒａｓｓｅ  １２，９９４２７  Ｗｅｉｍａｒ，Ｇｅｒｍａｎｙ）、Ｔｉｃ  Ｇｕｍｓ（Ｗｈｉｔｅ  Ｍａｒｓｈ，ＭＤ  ２１１６２，１０５５２  Ｐｈｉｌａｄｅｌｐｈｉａ  Ｒｄ，ＵＳＡ）、ＣＰ  Ｋｅｌｃｏ  Ｂ．Ｖ．（Ｄｅｌｔａ  １Ｐ，Ｂｕｓｉｎｅｓｓ  Ｐａｒｋ  Ｉｊｓｓｅｌｏｏｒｄ  ２，６８２５  ＨＬ  Ａｒｎｈｅｍ，Ｔｈｅ  Ｎｅｔｈｅｒｌａｎｄｓ）、Ｓｏｌｖａｙ  Ｃｈｉｍｉｃａ  Ｂｕｓｓｉ（Ｖｉａ  Ｍａｒｏｓｔｉｃａ  １，２０１４６  Ｍｉｌａｎｏ，Ｉｔａｌｙ）、Ｅｎｄｅｃｏｔｔｓ  ＬＴＤ（９  Ｌｏｍｂａｒｄ  Ｒｏａｄ，Ｌｏｎｄｏｎ，ＳＷ１９  ３ＴＺ，Ｕｎｉｔｅｄ  Ｋｉｎｇｄｏｍ）、ＶＷＲ  Ｉｎｔｅｒｎａｔｉｏｎａｌ  Ｅｕｒｏｌａｂ  Ｓ．Ｌ．（Ｃ／Ｄｅ  ｌａ  Ｔｅｃｎｏｌｏｇｉａ，５−１７，Ａ−７  Ｌｌｉｎａｒｓ  Ｐａｒｋ，０８４５０  Ｌｌｉｎａｒｓ  ｄｅｌ  Ｖａｌｌｅｓ，Ｓｐａｉｎ）、ＦＲＩＴＳＣＨ  ＧｍｂＨ（電話番号：０６７８４／７０−１５３）、Ｉｎｄｕｓｔｒｉｅｓｔｒａｓｓｅ  ８，５５７４３  Ｉｄａｒ−Ｏｂｅｒｓｔｅｉｎ，Ｇｅｒｍａｎｙ）、Ｍｅｔｒｏｈｍ  ＡＧ（Ｏｂｅｒｄｏｒｆｓｔｒａｓｓｅ  ６８，９１０１  Ｈｅｒｉｓａｕ，Ｓｗｉｔｚｅｒｌａｎｄ）、Ｉｍｅｓ  ｎｖ（Ｅｋｋｅｌｇａａｒｄｅｎ  ２６，３５００  Ｈａｓｓｅｌｔ，Ｂｅｌｇｉｕｍ）、Ｇｅｒｈａｒｄｔ  ＧｍｂＨ  ＆  Ｃｏ．（Ｃａｅｓａｒｉｕｓｓｔｒａｓｓｅ  ９７，５２６３９  Ｋｏｅｎｉｇｓｗｉｎｔｅｒ，Ｇｅｒｍａｎｙ）、Ｋｅｍｉｒａ  Ｃｈｅｍｉｃａｌｓ，Ｉｎｃ．（１９５０  Ｖａｕｇｈｎ  Ｒｏａｄ，Ｋｅｎｎｅｓａｗ，ＧＡ  ３０１４４，Ｕｎｉｔｅｄ  Ｓｔａｔｅｓ）、Ｃｙｔｅｃ  Ｉｎｄｕｓｔｒｉｅｓ  Ｉｎｃ．（５  Ｇａｒｒｅｔ  Ｍｏｕｎｔａｉｎ  Ｐｌａｚａ，Ｗｏｏｄｌａｎｄ  Ｐａｒｋ，Ｎｅｗ  Ｊｅｒｓｅｙ  ０７４２４，Ｕｎｉｔｅｄ  Ｓｔａｔｅｓ）、Ｉｎｇｅｎｉａｔｒｉｃｓ（Ａｖｄ���Ａｍｅｒｉｃｏ  Ｖｅｓｐｕｃｉｏ  ５−４，１ａ  ｐ．，ｍｏｄ．１２，Ｓｅｖｉｌｌａ、Ｓｐａｉｎ）、Ｈａｒｖａｒｄ  Ａｐｐａｒａｔｕｓ（Ｓ．Ａ．Ｒ．Ｌ，６  Ａｖｅ  ｄｅｓ  Ａｎｄｅｓ，Ｍｉｎｉｐａｒｃ−Ｂａｔ  ８，９１９５２  Ｌｅｓ  Ｕｌｉｓ  Ｃｅｄｅｘ，Ｆｒａｎｃｅ）。
【００５５】
消費者製品の製造方法
消費者製品補助成分及び送達粒子を含む、消費者製品の製造方法が開示され、上記方法は、以下の工程を含み得る。
【００５６】
ａ）第一溶液であって、上記第一溶液中に懸濁及び／又は溶解させた、溶液の総重量に基づいて約０．１重量％〜約１０重量％のマトリックス結合剤と、１種以上の溶媒と、を含む第一溶液を調製する工程。一態様では、このような溶媒は水、エタノール、アセトン、ジクロロメタン、及びこれらの混合物を含み得る。
【００５７】
ｂ）上記第一溶液に懸濁及び／又は溶解させた、組成物の総重量に基づいて約０．１重量％〜約３０重量％のマトリックス有益剤を含む第一組成物を調製する工程。
【００５８】
ｃ）所望により、組成物の総重量に基づいて０．０１〜２重量％の外部構造系を上記第一組成物に添加する工程。一態様では、上記マトリックス結合剤は、系に構造をもたらすことができる。
【００５９】
ｄ）上記第一組成物を約２５℃〜約１４０℃の温度のチャンバ内でスプレーして、複数のマトリックス有益剤コアを含有するマトリックスを形成する工程。一態様では、上記スプレー方法は、二液ノズル、回転ディスク、高圧ノズル、短軸針電極又はフローフォーカシングノズルを含む。一態様では、上記二液ノズルの直径は約２００マイクロメートル〜約３，５００マイクロメートル、又は約１，０００マイクロメートル〜約３，０００マイクロメートルである。一態様では、上記フローフォーカシングノズルは、直径が約２０マイクロメートル〜約７００マイクロメートル、又は約４０〜約５００マイクロメートル、又は更に約１００マイクロメートル〜３５０マイクロメートルの単独フローフォーカシングノズルを含む。一態様では、上記回転ディスクの直径は約６０ミリメートル〜約３５０ミリメートルである。一態様では、上記短軸針電極の直径は約１００マイクロメートル〜約４，０００マイクロメートル、又は約２５０〜約３，０００、又は更には約５００マイクロメートル〜約２，０００マイクロメートルである。
【００６０】
ｅ）上記マトリックスを回収する工程。
【００６１】
ｆ）第二溶液であって、上記第二溶液に懸濁及び／又は溶解させた、溶液の総重量に基づいて約１重量％〜約２０重量％のシェル材料と、１種以上の溶媒とを含む第二溶液を調製する工程。一態様では、このような溶媒は水、エタノール、アセトン、ジクロロメタン、及びこれらの混合物を含み得る。
【００６２】
ｇ）所望により、溶液の総重量に基づいて約０．０１重量％〜約２重量％の可塑剤を上記第二溶液に添加する工程。好適な可塑剤は、糖、糖アルコール、又はポリエチレングリコール（ＰＥＧ）などのポリオール、尿素、グリコール、プロピレングリコール又は他の既知の可塑剤、例えば、クエン酸トリエチル、ジブチル又はフタル酸ジメチル、ポリエチレングリセリン、ソルビトール、トリブチルクエン酸塩、ジブチルセバシン酸塩及び／又はポリソルベートなどを含み得る。
【００６３】
ｈ）第三組成物であって、上記第二溶液又は上記第三組成物に懸濁させた、組成物の総重量に基づいて約１重量％〜約１０重量％の上記マトリックス粒子を含む第三組成物を調製する工程。
【００６４】
ｉ）所望により、溶液の総重量に基づいて約０．０１重量％〜約２重量％の外部構造系を上記第三組成物に添加する工程。
【００６５】
ｊ）所望により、抗凝集剤と上記第三組成物とを組み合わせる工程。好適な抗凝集剤としては、タルク、ＴｉＯ２、クレイ、非晶質シリカ、ステアリン酸マグネシウム、ステアリン酸、及び炭酸カルシウムなどの易溶性の及び難溶性の物質を挙げることができる。
【００６６】
ｋ）上記第二組成物を約２５℃〜約１４０℃の温度のチャンバ内でスプレーして送達粒子を形成する工程。一態様では、上記スプレー方法は、二液ノズル、回転ディスク、高圧ノズル、短軸針電極又はフローフォーカシングノズルを含む。一態様では、上記二液ノズルの直径は約２００マイクロメートル〜約３，５００マイクロメートル、又は約１，０００マイクロメートル〜約３，０００マイクロメートルである。一態様では、上記フローフォーカシングノズルは、直径が約２０マイクロメートル〜約３５０マイクロメートル、又は約４０〜約２５０マイクロメートルの単独フローフォーカシングノズルを含む。一態様では、上記回転ディスクの直径は約６０ミリメートル〜約３５０ミリメートルである。
【００６７】
ｌ）上記送達粒子を回収する工程。一態様では、上記短軸針電極の直径は約１００マイクロメートル〜約４，０００マイクロメートル、又は約２５０〜約３，０００、又は更には約５００マイクロメートル〜約２，０００マイクロメートルである。
【００６８】
ｍ）上記送達粒子を１つ以上の消費者製品補助成分、付着助剤ポリマー、又はこれらの混合物と組み合わせる工程。
【００６９】
上記消費者製品の製造法の一態様では、上記方法は次の工程を含み得る：
ａ）第一溶液であって、上記第一溶液中に懸濁及び／又は溶解させた、溶液の総重量に基づいて約０．１重量％〜約１０重量％のマトリックス結合剤と、１種以上の溶媒と、を含む第一溶液を調製する工程。一態様では、このような溶媒は水、エタノール、アセトン、ジクロロメタン、及びこれらの混合物を含み得る。
【００７０】
ｂ）第一組成物であって、上記第一溶液に懸濁及び／又は溶解させた、組成物の総重量に基づいて約０．１重量％〜約３０重量％のマトリックス有益剤を含む第一組成物を調製する工程。
【００７１】
ｃ）所望により、溶液の総重量に基づいて約０．０１重量％〜約２重量％の外部構造系を上記第三組成物に添加する工程。
【００７２】
ｄ）上記第一組成物を約２５℃〜約１４０℃の温度のチャンバ内でスプレーして、複数のマトリックス有益剤コアを含有するマトリックスを形成する工程。一態様では、上記スプレー方法は、二液ノズル、回転ディスク、高圧ノズル、短軸針電極又はフローフォーカシングノズルを含む。一態様では、上記二液ノズルの直径は約２００マイクロメートル〜約３，５００マイクロメートル、又は約１，０００マイクロメートル〜約３，０００マイクロメートルである。一態様では、上記フローフォーカシングノズルは、直径が約２０マイクロメートル〜約１０００マイクロメートル、又は約４０〜約７００マイクロメートル、又は更に約１００マイクロメートル〜３５０マイクロメートルの単独フローフォーカシングノズルを含む。一態様では、上記回転ディスクの直径は約６０ミリメートル〜約３５０ミリメートルである。一態様では、上記短軸針電極の直径は約１００マイクロメートル〜約４，０００マイクロメートル、又は約２５０〜約３，０００、又は更には約５００マイクロメートル〜約２，０００マイクロメートルである。
【００７３】
ｅ）上記マトリックス粒子を回収する工程。
【００７４】
ｆ）第二溶液であって、上記第二溶液に懸濁及び／又は溶解させた、溶液の総重量に基づいて約１重量％〜約２０重量％のシェル材料と、１種以上の溶媒とを含む第二溶液を調製する工程。一態様では、このような溶媒は水、エタノール、アセトン、ジクロロメタン、及びこれらの混合物を含み得る。
【００７５】
ｇ）所望により、溶液の総重量に基づいて約０．０１重量％〜約２重量％の可塑剤と、上記第二溶液とを含む第二組成物の調製工程。好適な可塑剤は、糖、糖アルコール、又はポリエチレングリコール（ＰＥＧ）などのポリオール、尿素、グリコール、プロピレングリコール又は他の既知の可塑剤、例えば、クエン酸トリエチル、ジブチル又はフタル酸ジメチル、ポリエチレングリセリン、ソルビトール、トリブチルクエン酸塩、ジブチルセバシン酸塩及び／又はポリソルベートなどを含み得る。
【００７６】
ｈ）所望により、抗凝集剤と上記第二溶液又は第二組成物を組み合わせる工程。好適な抗凝集剤としては、タルク、ＴｉＯ２、クレイ、非晶質シリカ、ステアリン酸マグネシウム、ステアリン酸、及び炭酸カルシウムなどの易溶性の及び難溶性の物質を挙げることができる。
【００７７】
ｉ）上記マトリックスを噴流層で流動化する工程。
【００７８】
ｊ）上記第二溶液又は第二組成物を、約２５℃〜約１００℃の温度にて上記マトリックス粒子上にスプレーして、送達粒子を形成する工程。
【００７９】
ｋ）上記送達粒子を回収する工程。
【００８０】
ｌ）上記送達粒子を１つ以上の消費者製品補助成分、付着助剤ポリマー、又はこれらの混合物と組み合わせる工程。
【００８１】
上記消費者製品の製造方法の一態様では、上記プロセスは、次の工程を含み得る：
ａ）第一溶液であって、上記第一溶液中に懸濁及び／又は溶解させた、溶液の総重量に基づいて約０．１重量％〜約１０重量％のマトリックス結合剤と、１種以上の溶媒と、を含む第一溶液を調製する工程。一態様では、このような溶媒は水、エタノール、アセトン、ジクロロメタン、及びこれらの混合物を含み得る。
【００８２】
ｂ）第一組成物であって、上記第一溶液に懸濁及び／又は溶解させた、組成物の総重量に基づいて約０．１重量％〜約３０重量％のマトリックス有益剤を含む第一組成物を調製する工程。
【００８３】
ｃ）所望により、組成物の総重量に基づいて約０．０５〜３重量％の外部構造系と、上記第一組成物と、を含む第二組成物を調製する工程。
【００８４】
ｄ）第二溶液であって、上記第二溶液に懸濁及び／又は溶解させた、溶液の総重量に基づいて約１重量％〜約２０重量％のシェル材料と、１種以上の溶媒とを含む第二溶液を調製する工程。一態様では、このような溶媒は水、エタノール、アセトン、ジクロロメタン、及びこれらの混合物を含み得る。
【００８５】
ｅ）所望により、溶液の総重量に基づいて約０．０１重量％〜約２重量％の可塑剤と、上記第二溶液とを含む第二組成物の調製工程。好適な可塑剤は、糖、糖アルコール、又はポリエチレングリコール（ＰＥＧ）などのポリオール、尿素、グリコール、プロピレングリコール又は他の既知の可塑剤、例えば、クエン酸トリエチル、ジブチル又はフタル酸ジメチル、ポリエチレングリセリン、ソルビトール、トリブチルクエン酸塩、ジブチルセバシン酸塩及び／又はポリソルベートなどを含み得る。
【００８６】
ｆ）同心ノズル又は同軸針電極を用いることにより、上記第一又は第二組成物と、上記第二溶液とを、約２５℃〜約１４０℃の温度にてチャンバ内でスプレーして、送達粒子を形成する工程。一態様では、上記同心ノズルは、フローフォーカシングノズル又は同軸ノズルを含む。一態様では、上記同心フローフォーカシングノズルの内径は約２０〜約２００、約４５〜約１５０であり、外径は約４０〜約３５０、又は約７０〜約２５０である。一態様では、上記同軸針電極の直径は約１００マイクロメートル〜約４，０００マイクロメートル、又は約２５０〜約３，０００、又は更には約５００マイクロメートル〜約２，０００マイクロメートルである。
【００８７】
ｇ）上記送達粒子を回収する工程。
【００８８】
ｈ）上記送達粒子を１つ以上の消費者製品補助成分と組み合わせる工程。
【００８９】
補助成分
本発明の目的のために以下に例示される補助剤の非限定的な一覧は、本発明の組成物での使用に好適であり、例えば、性能を補助若しくは向上させるために、洗浄される基材の処理のために、又は香料、着色剤、染料などを用いる場合のように組成物の審美性を変化させるために、望ましくは本発明の特定の実施形態に組み込むことができる。列挙された送達粒子により、成分に加えこのような補助剤が供給されることが理解される。このような追加的成分の明確な性質、及びそれを組み込む濃度は、組成物の物理的形態及び使用されるべき作業の性質に依存する。好適な補助成分としては、限定するものではないが、界面活性剤、ビルダー、キレート化剤、移染防止剤、分散剤、酵素、及び酵素安定剤、触媒物質、漂白活性化剤、ポリマー系分散剤、粘土及び汚れ除去／再付着防止剤、増白剤、泡抑制剤、染料、追加の香料及び香料送達系、外部構造系、布地柔軟剤、キャリア、ヒドロトロープ、加工助剤、及び／又は色素が挙げられる。下記開示に加えて、このような他の補助剤の好適な例、及び使用濃度は、米国特許第５，５７６，２８２号、同第６，３０６，８１２（Ｂ１）号及び同第６，３２６，３４８（Ｂ１）号に見られ、これらは参照により組み込まれる。
【００９０】
各補助成分は、本出願人らの組成物にとって本質的なものではない。したがって、本出願人らの組成物の特定の実施形態は、以下の補助材料の１つ以上を含有しない：漂白活性化剤、界面活性剤、ビルダー、キレート化剤、移染防止剤、分散剤、酵素及び酵素安定剤、触媒金属錯体、ポリマー系分散剤、粘土及び汚れ除去／再付着防止剤、増白剤、泡抑制剤、染料、追加の香料及び香料送達系、外部構造化剤、柔軟剤、キャリア、ヒドロトロープ、加工助剤、及び／又は顔料。このような補助剤が、本明細書に開示される送達粒子と組み合わせられる製品マトリックスを形成することで、消費者製品を完成してもよいことが理解される。一般的に、１種以上の補助剤が存在する場合、このような１種以上の補助剤は、以下に詳細に記載されるように存在してもよい。
【００９１】
界面活性剤−本発明による組成物は、界面活性剤又は界面活性剤系を含むことができ、界面活性剤は、非イオン性及び／若しくはアニオン性及び／若しくはカチオン性界面活性剤並びに／又は両性及び／若しくは双極性及び／若しくは半極性非イオン性界面活性剤から選択できる。界面活性剤は、典型的には洗浄組成物の約０．１重量％から、約１重量％から、又は更には約５重量％から、洗浄組成物の約９９．９重量％まで、約８０重量％まで、約３５重量％まで、又は更には約３０重量％までの濃度で存在する。
【００９２】
ポリマー−本発明に従う組成物は、ポリマー分散剤、粘土汚れ除去剤／再付着防止剤又はこれらの混合物を含むことができる。一態様では、上記ポリマー系は、グリース洗浄用両親媒性アルコキシル化ポリマーを１つ以上と、粘土汚れ洗浄ポリマー又は汚れ懸濁ポリマーのいずれかとを含み得る。好適なポリマー系は、米国特許第２００９／０１２４５２８（Ａ１）号に記載のものである。ポリマー系は、典型的にはクリーニング組成物の重量の約０．１重量％〜約５重量％、又は更には約０．３重量％〜約２重量％、又は更に良好には約０．６重量％〜約１．５重量％の濃度で存在する。
【００９３】
ビルダー−本発明の組成物は、１つ以上の洗剤ビルダー又はビルダー系を含むことができる。存在する場合、本組成物は典型的には、少なくとも約１重量％のビルダー、又は約５重量％又は１０重量％から約８０重量％まで、５０重量％まで、又は更には３０重量％までのこのようなビルダーを含む。ビルダーとしては、ポリホスフェートのアルカリ金属、アンモニウム及びアルカノールアンモニウム塩、アルカリ金属ケイ酸塩、アルカリ土類及びアルカリ金属炭酸塩、アルミノシリケートビルダー、ポリカルボキシレート化合物、エーテルヒドロキシポリカルボキシレート、無水マレイン酸とエチレン又はビニルメチルエーテルとのコポリマー、１，３，５−トリヒドロキシベンゼン−２，４，６−トリスルホン酸、及びカルボキシメチルオキシコハク酸、エチレンジアミン四酢酸及びニトリロ三酢酸のようなポリ酢酸の種々のアルカリ金属、アンモニウム及び置換アンモニウム塩、並びにメリット酸、コハク酸、オキシジコハク酸、ポリマレイン酸、ベンゼン１，３，５−トリカルボン酸、カルボキシメチルオキシコハク酸、及びそれらの可溶性塩のようなポリカルボン酸塩が挙げられるが、これらに限定されない。
【００９４】
キレート化剤−本明細書の組成物はまた、任意で１つ以上の銅、鉄、及び／又はマンガンキレート化剤を含有してもよい。使用される場合、キレート化剤は、一般に、本明細書の組成物の約０．１重量％〜約１５重量％、又は更には本明細書の組成物の約３．０重量％〜約１５重量％を構成する。
【００９５】
移染防止剤−本発明の組成物はまた、１つ以上の移染防止剤を含んでもよい。適したポリマー移染抑制剤としては、限定するものではないが、ポリビニルピロリドンポリマー、ポリアミンＮ−オキシドポリマー、Ｎ−ビニルピロリドンとＮ−ビニルイミダゾールのコポリマー、ポリビニルオキサゾリドン及びポリビニルイミダゾール又はこれらの混合物が挙げられる。本明細書の組成物中に存在する場合、移染防止剤は、洗浄組成物の約０．０００１重量％から、約０．０１重量％から、約０．０５重量％から、洗浄組成物の約１０重量％まで、約２重量％まで、又は更には約１重量％までの濃度で存在する。
【００９６】
分散剤−本発明の組成物はまた、分散剤を含むことができる。好適な水溶性有機材料は、ホモポリマー又はコポリマーの酸又はそれらの塩であり、それらのうちのポリカルボン酸は、互いに炭素原子２個を超えない程度に離れている少なくとも２個のカルボキシル基を含み得る。
【００９７】
酵素−組成物は、洗浄性能効果、及び／又は布地ケア効果を提供する１つ以上の洗浄性酵素を含むことができる。好適な酵素の例としては、限定するものではないが、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、及びアミラーゼ、又はこれらの混合物が挙げられる。典型的な組み合わせは、プロテアーゼ、リパーゼ、クチナーゼ、及び／又はセルラーゼのような従来の適用可能な酵素をアミラーゼと組み合わせた混液である。
【００９８】
酵素安定剤−組成物、例えば洗剤において使用するための酵素は、さまざまな技術によって安定化可能である本明細書に用いられる酵素は、カルシウムイオン及び／又はマグネシウムイオンを酵素に供給する、最終組成物中のカルシウム及び／又はマグネシウムイオンの水溶性供給源の存在によって安定化させることができる。
【００９９】
触媒金属錯体−本出願人らの組成物は、触媒金属錯体を包含してもよい。金属含有漂白触媒の１つの種類は、銅、鉄、チタン、ルテニウム、タングステン、モリブデン、又はマンガンのカチオンのような、限定された漂白触媒活性の遷移金属カチオン、亜鉛又はアルミニウムのカチオンのような、漂白触媒活性をほとんど又は全く有さない補助金属カチオン、並びに触媒金属及び補助金属のカチオンに対して規定された安定度定数を有する金属イオン封鎖剤（sequestrate）、特にエチレンジアミン四酢酸、エチレンジアミンテトラ（メチレンホスホン酸）及びこれらの水溶性塩を含む触媒系である。このような触媒は、米国特許第４，４３０，２４３号に開示される。
【０１００】
所望する場合、本明細書の組成物はマンガン化合物を用いて触媒可能である。このような化合物及び使用濃度は当該技術分野で周知であり、例えば、米国特許第５，５７６，２８２号に開示されるマンガン系触媒が挙げられる。
【０１０１】
本明細書において有用なコバルト漂白触媒は既知であり、例えば、米国特許第５，５９７，９３６号及び同第５，５９５，９６７号に記載されている。このようなコバルト触媒は、既知の手順、例えば、米国特許第５，５９７，９３６号及び第５，５９５，９６７号において教示されているような手順によって容易に製造される。
【０１０２】
本明細書における組成物は、「ＭＲＬ」と略される大多環状の剛性配位子の遷移金属錯体も好適に含み得る。実際には、限定するためではないが、本明細書における組成物及び方法は、水性の洗浄媒質内において少なくともおよそ１憶分の１部の有益剤ＭＲＬ種を提供するように調整することができ、約０．００５ｐｐｍ〜約２５ｐｐｍ、約０．０５ｐｐｍ〜約１０ｐｐｍ、更には約０．１ｐｐｍ〜約５ｐｐｍのＭＲＬを洗浄溶液中に提供するよう調整できる。
【０１０３】
本遷移金属漂白剤触媒中の好適な遷移金属としては、マンガン、鉄、及びクロムが挙げられる。本明細書における好適なＭＲＬは、架橋した特定の種類の超剛性配位子、例えば、５，１２−ジエチル−１，５，８，１２−テトラアザビシクロ［６．６．２］ヘキサデカンである。
【０１０４】
好適な遷移金属ＭＲＬは、既知の手順、例えば、国際特許第ＷＯ  ００／３２６０１号及び米国特許第６，２２５，４６４号で教示されているような手順によって容易に製造される。
【０１０５】
外部構造系−本発明の消費者製品は、０．０１重量％〜５重量％又は更には０．１重量％〜１重量％の外部構造系を含んでもよい。外部構造系は、以下の（ｉ）及び（ｉｉ）からなる群から選択されてもよい：
（ｉ）非高分子系結晶質のヒドロキシ官能性構造剤及び／又は
（ｉｉ）高分子系構造剤。
【０１０６】
このような外部構造系は、組成物の洗浄性界面活性剤の任意の構造化効果とは独立して、すなわちこのような効果以外により、液体洗濯洗剤組成物を安定化させるのに十分な降伏応力又は低せん断粘度を付与することができるようなものであってよい。これらは、液体洗濯洗剤組成物に２１℃、２０ｓ−１にて１ｃｐｓ〜１５００ｃｐｓの高せん断粘度及び５０００ｃｐｓを超える低せん断粘度（２１℃、０．０５ｓ−１にて）を付与することができる。粘度は、直径４０ｍｍの平板鋼製スピンドル及び間隙サイズ５００μｍを使用するＴＡ  ｉｎｓｔｒｕｍｅｎｔｓ製のＡＲ  ５５０レオメーターを使用して測定される。２０ｓ−１での高せん断粘度、及び０．５ｓ−１での低せん断粘度は、２１℃で３分間の０．１ｓ−１〜２５ｓ−１の対数せん断速度掃引から得ることができる。一実施形態では、組成物は、０．０１〜１重量％の非高分子系結晶質のヒドロキシル官能性構造剤を含んでもよい。このような非高分子系結晶質のヒドロキシル官能性構造剤は、結晶化可能なグリセリドを含んでもよく、洗濯洗剤組成物の最終的な１回容量への分散を補助するためにこのグリセリドを前乳化することもできる。好適な結晶化可能なグリセリドとしては、液体洗剤組成物内で結晶化させることができるという条件で、硬化ヒマシ油又は「ＨＣＯ」又はこれらの誘導体が挙げられる。
【０１０７】
１回用量の洗濯洗剤組成物は、０．０１〜５重量％の天然に誘導された及び／又は合成された高分子構造剤を含んでもよい。好適な天然に誘導された高分子系構造剤としては：ヒドロキシエチルセルロース、疎水変性ヒドロキシエチルセルロース、カルボキシメチルセルロース、多糖誘導体、及びこれらの混合物が挙げられる。好適な多糖誘導体としては：ペクチン、アルギン酸塩、アラビノガラクタン（アラビアゴム）、カラギーナン、ジェランガム、キサンタンガム、グアーガム及びこれらの混合物が挙げられる。好適な合成高分子系構造剤としては：ポリカルボキシラート、ポリアクリレート、疎水変性エトキシル化ウレタン、疎水変性非イオン性ポリオール、及びこれらの混合物が挙げられる。一態様では、ポリカルボキシレートポリマーは、ポリアクリレート、ポリメタクリレート、又はこれらの混合物であってよい。他の態様では、ポリアクリレートは、不飽和モノ−又はジ−カルボン酸と（メタ）アクリル酸のＣ１〜Ｃ３０アルキルエステルとのコポリマーであってよい。このようなコポリマーは、商品名Ｃａｒｂｏｐｏｌ（登録商標）Ａｑｕａ  ３０でＮｏｖｅｏｎ  ｉｎｃから入手可能である。
【０１０８】
使用方法
本明細書に開示される特定の消費者製品は、部位を、とりわけ、表面又は布地を、洗浄又は処理することができる。典型的には、未希釈形態の又は液体（例えば洗浄液）に希釈した本願の消費者製品の実施形態と、このような部位の少なくとも一部を接触させ、そして所望によりその部位を洗浄し及び／又はすすぐことができる。一態様では、部位を場合により洗浄し及び／又はすすぎ、消費者製品の態様と接触させた後に場合により洗浄し及び／又はすすぐ。本発明の目的に関して、洗浄としては、限定するものではないが、こすり洗い及び機械的撹拌が挙げられる。布地は、標準的な消費者の使用条件で洗濯又は処理することが可能な大部分の任意の布地を含んでよい。開示される組成物を含み得る液体は、約３〜約１１．５のｐＨを有してよい。こうした組成物は、典型的には溶液中で約５００ｐｐｍ〜約１５，０００ｐｐｍの濃度で使用される。洗浄溶媒が水である場合、水温は、典型的には、約５℃〜約９０℃であり、部位が布地を含む場合、水と布地との割合は、典型的には、約１：１〜約３０：１である。
【０１０９】
前述の方法の１種以上を採用することで、部位処理が得られる。
【０１１０】
試験方法
本出願の「試験方法」の項で開示される試験方法は、本出願人らの発明が本明細書に記載され及び特許請求されているように、本出願人らの発明のパラメータの各値を求めるために使用されるべきであると理解される。
【０１１１】
（１）１〜５００マイクロメートルの範囲の送達粒子を含有しているスラリー／液体の平均粒径。
【０１１２】
送達粒子の平均粒径は、Ｍｅｔｔｌｅｒ−Ｔｏｌｅｄｏ，Ｉｎｃ．，１９００  Ｐｏｌａｒｉｓ  Ｐａｒｋｗａｙ，Ｃｏｌｕｍｂｕｓ，ＯＨ，４３２４０，ＵＳにより供給されているＬａｓｅｎｔｅｃ  Ｍ５００Ｌ−３１６−Ｋを用いて測定される。この設備は、２０００年２月発行のＬａｓｅｎｔｅｃマニュアルに記載されている通りに設定する（Ｌａｓｅｎｔｅｃ，ＦＢＲＭ  Ｃｏｎｔｒｏｌ  Ｉｎｔｅｒｆａｃｅ，ｖｅｒｓｉｏｎ  ６．０）。ソフトウェアのセットアップ及びサンプルの解析は、Ｗｉｎｄｏｗｓのソフトウェア（Ｗｉｎｄｏｗｓ  ＸＰ，ｖｅｒｓｉｏｎ  ２００２）を用い、ＷＩＮＤＯＷＳのマニュアルに従って実施した。試験を実施する目的で粒子を固体送達粒子として回収する場合には、このような粒子は脱イオン水中に均一に分散させる。
【０１１３】
（２）有益剤放出試験
必要とされる材料及び装置：
１．ｌａｕｎｄｅｒ−ｏ−ｍｅｔｅｒ（ｌａｕｎｄｅｒ−ｏ−ｍｅｔｅｒの手順は、ＡＡＴＣＣの技術マニュアルに記載されている）
２．ＪＡＯＣＳ，Ｖｏｌ．６６，ｎ．１（１９８９年１月）に記載のような、汚れた布地の１０×１０ｃｍ試験片
３．直径６ｍｍのスチールボール５０個のキャニスター
４．工業用水（硬度２．５ｍｍｏｌ／Ｌ）
５．複数のマトリックス有益剤コアを含むマトリックスを有する送達粒子を含有する洗剤組成物。
【０１１４】
手順：
ステンレス製のｌａｕｎｄｅｒ−ｏ−ｍｅｔｅｒ容器を用意し、３０℃の水２５０ｍＬと、複数のマトリックス有益剤コアを含む送達粒子を含有している液体洗剤組成物２．５グラムと、汚れた１０×１０ｃｍ布地試験片３枚と、５０個のスチールボールとを入れる。容器をｌａｕｎｄｅｒ−ｏ−ｍｅｔｅｒ内に配置し、４２ｒｐｍで４０分間回転させた。有益剤の分析測定のために５分毎に試験片を回収する。下記に列挙される適用可能なプロトコルにより分析が実施される：
Ａ．予形成過酸、漂白活性化剤及び過酸化水素源についての分析試験：
液体漂白剤中の過酸化水素は、酸性化させたヨウ化カリウム溶液からヨウ素を遊離させる。チオ硫酸標準液を用い、遊離ヨウ素を電位差滴定する。
【０１１５】
漂白成分＋２Ｉ−＋２Ｈ＋→Ｉ２＋２Ｈ２Ｏ                  ［１］
Ｉ２＋Ｉ−⇔Ｉ３−                                        ［２］
Ｉ３−＋２Ｓ２Ｏ３２−→３Ｉ−＋Ｓ４Ｏ６                      ［３］
【０１１６】
漂白成分は、漂白活性化剤から生じた過酸化水素源、予形成された過酸又は過酸であり得る。この方法は漂白剤の総量を測定する。過酸化水素と反応することで漂白活性化剤から漂白剤が生じる場合、過酸が生じた後にカタラーゼを添加する必要がある。カタラーゼは過酸には影響せずに過酸化水素のみを破壊する。更なる分析に際して、過酸のみが存在することになる。
【０１１７】
機器：
・ＰＣに接続した自動滴定装置（ｆｅ  Ｍｅｔｒｏｈｍ  ８０９）
・酸化還元電極（ｆｅ  Ｍｅｔｒｏｈｍ  ６．０４３１．１００）
化学物質：
・氷酢酸（ＶＷＲ  １．０００６３）
・ＫＩ  ３  Ｍ（Ｓｉｇｍａ  Ａｌｄｒｉｃｈ  ３５１７５）
・Ｎａ２Ｓ２Ｏ３  ０．０１Ｎ（３８２４３，Ｓｉｇｍａ  Ａｌｄｒｉｃｈ）
・ウシ肝臓由来のカタラーゼ（Ｆｌｕｋａ  Ｂｉｏｃｈｅｍｉｃａ  ６０６４０±２６００００Ｕ／ｍＬ）
・１０％過炭酸ナトリウム水溶液この溶液の調製のために、連続的に撹拌しながら１００グラムの炭酸ナトリウム（ＶＷＲ  ＡＬＦＡＡ１６０４５）を９００ｍＬの脱イオン水に加えた。
【０１１８】
手順：
１．過酸化水素源及び予形成過酸（追加の過酸化水素は存在しない）：
ａ．０．０５〜１グラムの有益剤を有するように×グラムの試料を計量する。  
ｂ．水５０ｍＬを加える。  
ｃ．酢酸１０ｍＬを加える。  
ｄ．１分間にわたって撹拌する。  
ｅ．ＫＩ溶液４ｍＬを加える。  
ｆ．酸化還元電極を用いて、第一当量点までＮａ２Ｓ２Ｏ３について滴定する。  
ｇ．過酸化物／過酸の放出指数を算出する：
【数１】
2013538885.tif 000004
式中、ＶはｍＬで測定された容量であり、Ｎはチオ硫酸ナトリウム溶液の規定度であり、Ｍｗは予形成された過酸又は過酸化水素源の分子量であり、Ｇは純度１００％の、滴定用の予形成された過酸又は過酸化水素源の重量に基づくグラムである。
【０１１９】
２．その場で形成された過酸（過酸化水素と漂白活性化剤のその場での反応）
ａ．０．０５〜１グラムの有益剤を有するように×グラムの試料を計量する。  
ｂ．過炭酸塩溶液５０ｍＬを加える。  
ｃ．１０分にわたって撹拌する（過酸を形成させる）。  
ｄ．カタラーゼ０．５ｍＬを加える。  
ｅ．少なくとも１分にわたって撹拌する（最大５分）
ｆ．酢酸１０ｍＬを加える。  
ｇ．ＫＩ溶液４ｍＬを加える。  
ｈ．酸化還元電極を用いて、第一当量点までＮａ２Ｓ２Ｏ３について滴定する。  
ｉ．過酸の放出指数を算出する：
【数２】
2013538885.tif 000005
式中、ＶはｍＬで測定された容量であり、Ｎはチオ硫酸ナトリウム溶液の規定度であり、Ｍｗは漂白活性剤の分子量であり、Ｇは純度１００％の、漂白活性剤の重量に基づくグラムである。
【０１２０】
Ｂ．金属触媒に関する分析試験：光分析法
特定の色素を用いる比色分析反応により、漂白触媒の活性を測定する。
【０１２１】
ａ．較正曲線の作成：脱イオン水中の、金属触媒をＸ  ｐｐｍ含有している粒子は加えずに、実施例４、５、及び６に記載の様な１０，０００ｐｐｍの洗剤溶液４０μＬをＣｈｉｃａｇｏ  ｓｋｙ  ｂｌｕｅ試薬１５０μＬに加え、３７℃で３分にわたってインキュベートした（下表を参照のこと）。インキュベート後に、６００ｎｍにて、溶液の洗剤及び色素を吸光度測定する（Ａｂｓ  １）。過酸化水素試薬６０μＬを溶液に加え、３７℃にて３０分にわたってインキュベートする。インキュベート後に、この溶液の吸光度を６００ｎｍにて測定する（Ａｂｓ  ２）。下表のように、異なる濃度の金属触媒について、この操作を繰り返す：
【表１】
2013538885.tif 000006
【０１２２】
最終的な吸光度（Ａｂｓ  ２）から開始測定吸光度（Ａｂｓ  １）を減算し、較正曲線（多項式フィット）をプロットした。
【０１２３】
ｂ．サンプリングした洗浄溶液４０μＬを測定し、較正曲線を用いることにより、洗浄時の金属触媒濃度を決定する。
【０１２４】
ｃ．放出指数の決定：
【数３】
2013538885.tif 000007
式中、Ｃ洗浄は洗浄液中で測定される濃度（ｐｐｍ）であり、Ｃ全量は洗浄液中の金属触媒の総量（全封入量）（ｐｐｍ）である。
【０１２５】
Ｃ．漂白増進剤に関する分析試験：イソキノリニウム類材料及び活性中間体は、質量分析法により測定できる。個々の分子の応答に基づき陽イオン又は陰イオンで行うエレクトロスプレー質量分析を使用して、イソキノリニウム及び酸化中間体を測定する。直接導入するか又は希釈試料を別個に導入するか（フローインジェクション分析）のいずれかにより、ＭＳ分析を実施する。ＨＰＬＣによる分離は必要とされない。
【０１２６】
ａ．溶離剤：アセトニトリル：水（１／１）＋１ｍｍｏｌ酢酸アンモニウム。  
ｂ．最高感度を得るために、装置の設定は個々の分子について最適化する。  
ｃ．続いて選択的なイオンモード（selective ion mode）又は複数の反応モニタリング（multiple reaction monitoring）のいずれかで、測定を実施する。  
ｄ．１／１のアセトニトリル／水＋１ｍｍｏｌ酢酸アンモニウムで試料を希釈する。希釈係数はイソキノリニウム濃度に依存して決まる。  
ｅ．ＭＳ設定：陽イオンモード又は陰イオンモードのいずれかでのエレクトロスプレー。フルスキャンデータが望ましい場合には、スキャンモードを交互に変更させてフルスキャンデータを得る。
【０１２７】
金属触媒について上記されるものと同様の式を用い、放出指数を算出する。
【０１２８】
Ｄ．ジアシル過酸化物に関する分析試験：ＨＰＬＣ分離後に電気化学的な検出を行うことにより、ジアシル過酸化物を測定する。分離には短鎖用ＲＰカラム（５μｍ、２５０ｍｍ×４．６ｍｍ）を用いる。代表的な溶離液は、０．００２５Ｍのリン酸二水素アンモニウムを添加した水／アセトニトリル（２５０ｍＬ／８５０ｍＬ）である。流速は１．０ｍＬ／ｍｉｎに設定し、ＤＣ電流測定又は熱量測定により検出を行う。分析に先立ち、９０％アセトニトリル及び１０％氷酢酸比の、アセトニトリルと氷酢酸との混合物に試料を希釈する。金属触媒について上記されるものと同様の式を用い、放出指数を算出する。
【０１２９】
Ｅ．ＡＳＴＭ法Ｄ０３４８−８９（２００３）を用いて酵素の放出指数を測定してもよい。
【０１３０】
（３）保管に対する有益剤の安定度指数の決定
洗濯洗剤組成物中の、これらのマトリックス有益剤コアを含有する送達粒子の保管時に保有されるマトリックス有益剤の量は、液体洗剤組成物から送達粒子を濾別し、上記送達粒子を破断してマトリックス有益剤を放出させ、以下に記載の標準的な分析方法を用い、保管時に保有されるマトリックス有益剤の量を分析して決定することができる。
【０１３１】
安定性試験の条件：１％のマトリックス有益剤を送達粒子の形態で含有する試料を、洗濯洗剤組成物中で３０℃で７日間保管する。
【０１３２】
濾過：３０℃にて７日間経過後、８マイクロメートルのフィルタ（Ｗｈａｔｍａｎ  Ｉｎｔ．ＬＴＤ，ＶＷＲにより供給）を用い試料を濾過する。送達粒子を３ｍＬの水で２度すすぎ洗いする。
【０１３３】
マトリックス有益剤を放出させるための送達粒子の破断：経時処理した送達粒子を含有させた濾紙を２５０ｍＬのガラス製ポットに入れ、１００ｍＬの脱イオン水を加える。直径４ｃｍ（Ｉｍｅｓ，Ｂｅｌｇｉｕｍ）の金属製のボールをガラス製ポットに入れ、ガラス製ポットに蓋をする。粒子を含有させた混合物を、恒温振盪機内で、４５℃にて１時間にわたって１３５ｒｐｍ（Ｔｈｅｒｍｏ  ｓｈａｋｅｒ  ＴＨＯ  ５，Ｇｅｒｈａｒｄｔ）で保持し、マトリックス有益剤を完全に放出させる。
【０１３４】
安定性指数の決定：以下に記載の分析法に従い、マトリックス有益剤を分析する。
【０１３５】
Ａ．予形成過酸、漂白活性化剤及び過酸化水素源についての分析試験：
液体漂白剤中の過酸化水素は、酸性化させたヨウ化カリウム溶液からヨウ素を遊離させる。チオ硫酸標準液を用い、遊離ヨウ素を電位差滴定する。
【０１３６】
漂白成分＋２Ｉ−＋２Ｈ＋→Ｉ２＋２Ｈ２Ｏ                    ［１］
Ｉ２＋Ｉ−⇔Ｉ３−                                          ［２］
Ｉ３−＋２Ｓ２Ｏ３２−→３Ｉ−＋Ｓ４Ｏ６                        ［３］
【０１３７】
漂白成分は、漂白活性化剤から生じた過酸化水素源、予形成された過酸又は過酸であり得る。この方法は漂白剤の総量を測定する。過酸化水素と反応することで漂白活性化剤から漂白剤が生じる場合、過酸が生じた後にカタラーゼを添加する必要がある。カタラーゼは過酸には影響せずに過酸化水素のみを破壊する。更なる分析に際して、過酸のみが存在することになる。
【０１３８】
機器：
・ＰＣに接続した自動滴定装置（ｆｅ  Ｍｅｔｒｏｈｍ  ８０９）
・酸化還元電極（ｆｅ  Ｍｅｔｒｏｈｍ  ６．０４３１．１００）
化学物質：
・氷酢酸（ＶＷＲ  １．０００６３）
・ＫＩ  ３  Ｍ（Ｓｉｇｍａ  Ａｌｄｒｉｃｈ  ３５１７５）
・０．１ＮのＮａ２Ｓ２Ｏ３（ＶＷＲ  １．０９１４７）
・ウシ肝臓由来のカタラーゼ（Ｆｌｕｋａ  Ｂｉｏｃｈｅｍｉｃａ  ６０６４０±２６００００Ｕ／ｍＬ）
・１０％過炭酸ナトリウム水溶液この溶液の調製のために、連続的に撹拌しながら１００グラムの炭酸ナトリウム（ＶＷＲ  ＡＬＦＡＡ１６０４５）を９００ｍＬの脱イオン水に加えた。
【０１３９】
手順：
３．過酸化水素源及び予形成過酸（追加の過酸化水素は存在しない）：
ａ．有益剤が０．５〜１グラム含まれるように、×グラムの試料（経時処理した後に破断させた送達粒子）を量り取る。  
ｂ．水５０ｍＬを加える。  
ｃ．酢酸１０ｍＬを加える。  
ｄ．１分間にわたって撹拌する。  
ｅ．ＫＩ溶液４ｍＬを加える。  
ｆ．酸化還元電極を用いて、第一当量点までＮａ２Ｓ２Ｏ３について滴定する。  
ｇ．過酸化物／過酸の安定性指数を算出する：
【数４】
2013538885.tif 000008
式中、ＶはｍＬで測定された容量であり、Ｎはチオ硫酸ナトリウム溶液の規定度であり、Ｍｗは予形成された過酸又は過酸化水素源の分子量であり、Ｇは純度１００％の、滴定用の予形成された過酸又は過酸化水素源の重量に基づくグラムである。
【０１４０】
４．その場で形成された過酸（過酸化水素と漂白活性化剤のその場での反応）
ａ．有益剤が０．５〜１グラム含まれるように、×グラムの試料（経時処理した後に破断させた送達粒子）を量り取る。  
ｂ．過炭酸塩溶液５０ｍＬを加える。  
ｃ．１０分にわたって撹拌する（過酸を形成させる）。  
ｄ．カタラーゼ０．５ｍＬを加える。  
ｅ．少なくとも１分にわたって撹拌する（最大５分）
ｆ．酢酸１０ｍＬを加える。  
ｇ．ＫＩ溶液４ｍＬを加える。  
ｈ．酸化還元電極を用いて、第一当量点までＮａ２Ｓ２Ｏ３について滴定する。  
ｉ．過酸の安定性指数の算出：
【数５】
2013538885.tif 000009
式中、ＶはｍＬで測定された容量であり、Ｎはチオ硫酸ナトリウム溶液の規定度であり、Ｍｗは漂白活性剤の分子量であり、Ｇは純度１００％の、漂白活性剤の重量に基づくグラムである。
【０１４１】
Ｂ．金属触媒に関する分析試験：光分析法
特定の色素を用いる比色分析反応により、漂白触媒の活性を測定する。
【０１４２】
ａ．較正曲線の作成：脱イオン水中の、金属触媒Ｘ  ｐｐｍを含有している送達粒子は加えずに、実施例４、５、及び６に記載のような１０，０００ｐｐｍの洗剤溶液４０μＬをＣｈｉｃａｇｏ  ｓｋｙ  ｂｌｕｅ試薬１５０μＬに加え、３７℃で３分にわたってインキュベートした（下表を参照のこと）。インキュベート後に、６００ｎｍにて、洗剤及び色素の溶液を吸光度測定する（Ａｂｓ  １）。過酸化水素試薬６０μＬを溶液に加え、３７℃にて３０分にわたってインキュベートする。インキュベート後に、この溶液の吸光度を６００ｎｍにて測定する（Ａｂｓ  ２）。下表のように、異なる濃度の金属触媒について、この操作を繰り返す：
【表２】
2013538885.tif 000010
【０１４３】
最終的な吸光度（Ａｂｓ  ２）から開始測定吸光度（Ａｂｓ  １）を減算し、較正曲線（多項式フィット）をプロットした。
【０１４４】
ｂ．経時処理した後に破断させた送達粒子４０μＬを測定し、較正曲線を用いることにより、洗浄時の金属触媒濃度を決定する。
【０１４５】
ｃ．安定性指数の決定：
【数６】
2013538885.tif 000011
【０１４６】
Ｃ経時処理した粒子は、液体洗剤組成物中にｐｐｍで保管した後に粒子内部に存在していることが確認された金属触媒の濃度であり、かつＣ総粒子は、液体洗剤組成物中のｐｐｍでの金属触媒の総量（総封入量）である。
【０１４７】
Ｃ．漂白増進剤に関する分析試験：イソキノリニウム類材料及び活性中間体は、質量分析法により測定できる。個々の分子の応答に基づき陽イオン又は陰イオンで行うエレクトロスプレー質量分析を使用して、イソキノリニウム及び酸化中間体を測定する。直接導入するか又は希釈試料を別個に導入するか（フローインジェクション分析）のいずれかにより、ＭＳ分析を実施する。ＨＰＬＣによる分離は必要とされない。
【０１４８】
ａ．溶離剤：アセトニトリル：水（１／１）＋１ｍｍｏｌ酢酸アンモニウム。  
ｂ．最高感度を得るために、装置の設定は個々の分子について最適化する。  
ｃ．続いて選択的なイオンモード（selective ion mode）又は複数の反応モニタリング（multiple reaction monitoring）のいずれかで、測定を実施する。  
ｄ．１／１のアセトニトリル／水＋１ｍｍｏｌ酢酸アンモニウムで試料を希釈する。希釈係数はイソキノリニウム濃度に依存して決まる。  
ｅ．ＭＳ設定：陽イオンモード又は陰イオンモードのいずれかでのエレクトロスプレー。フルスキャンデータが望ましい場合には、スキャンモードを交互に変更させてフルスキャンデータを得る。
【０１４９】
金属触媒について上記されるものと同様の式を用い、安定性指数を算出する。
【０１５０】
Ｄ．ジアシル過酸化物に関する分析試験：ＨＰＬＣ分離後に電気化学的な検出を行うことにより、ジアシル過酸化物を測定する。分離には短鎖用ＲＰカラム（５μｍ、２５０ｍｍ×４．６ｍｍ）を用いる。代表的な溶離液は、０．００２５Ｍのリン酸二水素アンモニウムを添加した水／アセトニトリル（２５０ｍＬ／８５０ｍＬ）である。流速は１．０ｍＬ／ｍｉｎに設定し、ＤＣ電流測定又は熱量測定により検出を行う。分析に先立ち、９０％アセトニトリル及び１０％氷酢酸比の、アセトニトリルと氷酢酸との混合物に試料を希釈する。金属触媒について上記されるものと同様の式を用い、安定性指数を算出する。
【０１５１】
Ｅ．ＡＳＴＭ法Ｄ０３４８−８９（２００３）を用いて酵素の安定性指数を測定してもよい。
【０１５２】
（４）遠心時保持用量（ＣＲＣ）試験方法
試験方法ＥＤＡＮＡ  ４４１．２−０２を用い、遠心時保持用量を測定することもできる。
【０１５３】
（５）液体洗剤組成物のｐＨ測定
液体洗剤組成物のｐＨ測定は、試験方法ＥＮ  １２６２を用いて測定され得る。
【０１５４】
（６）平均分子量
本明細書及び請求項に関する目的に関し、ＡＳＴＭ法ＡＳＴＭ  Ｄ４００１−９３（２００６）に従って、ポリマーの平均分子量を決定する。
【０１５５】
（７）加水分解度
本明細書及び請求項に関する目的に関し、米国特許第６，１３２，５５８号の第２段落第３６行〜第５段落第２５行に記載の方法に従って、加水分解度を決定する。
【０１５６】
（８）電荷密度
本明細書及び請求項に関する目的に関し、Ｄ．Ｈｏｒｎ，Ｐｒｏｇｒｅｓｓ  ｉｎ  Ｃｏｌｌｏｉｄ  ＆  Ｐｏｌｙｍｅｒ  Ｓｃｉ．６５（１９７８），２５１〜２６４を参照し、コロイド滴定を活用してポリマーの電荷密度を決定する。
【実施例】
【０１５７】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのような全ての変更及び修正を添付の特許請求の範囲で扱うものとする。
【０１５８】
実施例１：フローフォーカシング法を用いる送達粒子の調製
６０℃にて、１０００グラムの０．５％キサンタンガム溶液（Ｋｅｌｚａｎ  ＡＳＸ−Ｔ，ＣＰＫｅｌｃｏ）／脱塩水を調製する。この溶液を室温へと冷却し、２０マイクロメートル径シーブにより予め濾過した一定量のＰＡＰ  ＥＵＲＥＣＯ  ＬＸ１７（例えば、濾過試料に含まれるＰＡＰは１７０グラムである）と混合して、第一懸濁液を形成する。この第一懸濁液を７００ｒｐｍで１０分間撹拌する。アセトン：水比が２０：８０である、８％のポリ酢酸ビニル（分子量約１６７，０００ｇ／ｍｏｌ、Ｓｉｇｍａ  Ａｌｄｒｉｃｈ）を１５００グラム含む第二溶液を調製する。次に、同心フローフォーカシングノズル（Ｉｎｇｅｎｉａｔｒｉｃｓ，Ｓｐａｉｎ）を用い、高圧シリンジポンプ（ＰＨＤ  ４４００，Ｈａｒｖａｒｄ，Ｆｒａｎｃｅ）を２つ使用し、一定速度で撹拌させつつ第一懸濁液と第二溶液とをそれぞれ噴霧乾燥器（Ｎｉｒｏ  ＧｍｂＨ，Ｇｅｍａｎｙ）に導入する。５７％のＰＡＰを含有する粒子を回収し、以降の例に記載されるような消費者製品に使用する。
【０１５９】
実施例２：噴霧乾燥させた送達粒子の製造
６０℃にて、１０００グラムの０．５％キサンタンガム溶液（Ｋｅｌｚａｎ  ＡＳＸ−Ｔ，ＣＰＫｅｌｃｏ）／脱塩水を調製する。この溶液を室温へと冷却し、２０マイクロメートル径シーブにより予め濾過した一定量のＰＡＰ  ＥＵＲＥＣＯ  ＬＸ１７（例えば、濾過試料に含まれるＰＡＰは１７０グラムである）と混合して、懸濁液を形成する。この懸濁液を７００ｒｐｍで１０分間撹拌し、次に３００ｒｐｍの一定速度で撹拌しつつ、蠕動ポンプ（Ｗａｔｓｏｎ−Ｍａｒｌｏｗ，Ｍａｓｓａｃｈｕｓｅｔｔｓ，ＵＳ）を用い、噴霧乾燥器（Ｎｉｒｏ  ＧｍｂＨ，Ｇｅｍａｎｙ）に導入する。固体粒子を回収する。次に、これらの回収された粒子のうち１００グラムを、１５００グラムの１０％ポリビニルアルコール（平均分子量約１３，０００〜２６，０００，参照番号３６３１７０，Ｓｉｇｍａ−Ａｌｄｒｉｃｈ）／脱塩水溶液に懸濁する。この懸濁液を７００ｒｐｍで５分間撹拌し、次に３００ｒｐｍの一定速度で撹拌しつつ、蠕動ポンプ（Ｗａｔｓｏｎ−Ｍａｒｌｏｗ，Ｍａｓｓａｃｈｕｓｅｔｔｓ，ＵＳ）を用い、噴霧乾燥器（Ｎｉｒｏ  ＧｍｂＨ，Ｇｅｍａｎｙ）に導入する。４７％のＰＡＰを含有する粒子を回収し、以降の例に記載されるような消費者製品に使用する。
【０１６０】
実施例３、４及び５：液体洗剤組成物
封入されたマトリックス有益剤を含有している製品配合物の非限定的な例を下表に要約する。
【表３】
2013538885.tif 000012
１  −ＮＨあたり２０個のエトキシル基を有するポリエチレンイミン（ＭＷ＝６００）。  
２  ＰＧ６１７又はＰＧ６４０（ＢＡＳＦ，Ｇｅｒｍａｎｙ）
３  実施例２に記載のコーティング粒子。  
４  香料マイクロカプセルは次の通りに調整され得る。２５ｇのブチルアクリレート−アクリル酸コポリマー乳化剤（Ｃｏｌｌｏｉｄ  Ｃ３５１、２５％固形分、ｐＫａ  ４．５〜４．７、Ｋｅｍｉｒａ  Ｃｈｅｍｉｃａｌｓ，Ｉｎｃ．（Ｋｅｎｎｅｓａｗ，Ｇｅｏｒｇｉａ  Ｕ．Ｓ．Ａ．））を溶解して２００ｇの脱イオン水中に混入する。溶液のｐＨを、水酸化ナトリウム溶液でｐＨ  ４．０に調整する。部分メチル化メチロールメラミン樹脂（Ｃｙｍｅｌ  ３８５、８０％固形分（Ｃｙｔｅｃ  Ｉｎｄｕｓｔｒｉｅｓ  Ｗｅｓｔ  Ｐａｔｅｒｓｏｎ，Ｎｅｗ  Ｊｅｒｓｅｙ，Ｕ．Ｓ．Ａ．））８グラムを乳化剤溶液に添加する。機械的撹拌下での混合前に２００ｇの香油を添加し、温度を５０℃へと上昇させる。安定なエマルションが得られるまで高速で混合した後に、第２の溶液及び４グラムの硫酸ナトリウム塩をこのエマルションに添加する。この第２の溶液は、ブチルアクリレート−アクリル酸コポリマー乳化剤（Ｃｏｌｌｏｉｄ  Ｃ３５１、２５％固形分、ｐＫａ  ４．５〜４．７、Ｋｅｍｉｒａ）１０グラム、蒸留水１２０グラム、ｐＨを４．８に調整するための水酸化ナトリウム溶液、部分メチル化メチロールメラミン樹脂（Ｃｙｍｅｌ  ３８５、８０％固形分、Ｃｙｔｅｃ）２５グラムを含有する。この混合物を７０℃まで加熱し、連続的に攪拌しながら１晩にわたって維持して、カプセル封入プロセスを完了させる。アセトアセトアミド（Ｓｉｇｍａ−Ａｌｄｒｉｃｈ，Ｓａｉｎｔ  Ｌｏｕｉｓ，Ｍｉｓｓｏｕｒｉ，Ｕ．Ｓ．Ａ．）２３グラムをこの懸濁液に添加する。
【０１６１】
実施例６、７及び８：１回用量組成物
実施例３、４及び５の組成物をＰＶＡフィルムで包む。一態様では、本実施例で使用されるフィルムは厚さ７６μｍのＭｏｎｏｓｏｌ  Ｍ８６３０である。
【０１６２】
実施例９及び１０：１回用量組成物
以下のものは、液体組成物がＰＶＡフィルム内に封入される単位容量の実施例である。一態様では、本実施例で使用されるフィルムは厚さ７６μｍのＭｏｎｏｓｏｌ  Ｍ８６３０である。
【表４】
2013538885.tif 000013
１  −ＮＨあたり２０個のエトキシル基を有するポリエチレンイミン（ＭＷ＝６００）。  
２  ＰＧ６１７又はＰＧ６４０（ＢＡＳＦ，Ｇｅｒｍａｎｙ）
３  実施例１に記載のコーティング粒子。  
４  実施例３、４及び５に記載の香料マイクロカプセル調製物。
【０１６３】
実施例１１及び１２：液体洗剤組成物：
封入されたマトリックス有益剤を含有している製品配合物の非限定的な例を下表に要約する。
【表５】
2013538885.tif 000014
１  −ＮＨ基当たり２０個のエトキシレート基を有するポリエチレンイミン（ＭＷ＝６００グラム／モル）（ＢＡＳＦ，Ｇｅｒｍａｎｙ）
２  ＰＧ６１７又はＰＧ６４０（ＢＡＳＦ，Ｇｅｒｍａｎｙ）
３  実施例１に記載のコーティング粒子。
４  実施例３、４及び５に記載の香料マイクロカプセル調製物。
【０１６４】
実施例１３及び１４：１回用量組成物
以下のものは、液体組成物がＰＶＡフィルム内に封入される単位容量の実施例である。一態様では、本実施例で使用されるフィルムは厚さ７６μｍのＭｏｎｏｓｏｌ  Ｍ８６３０である。
【表６】
2013538885.tif 000015
１  −ＮＨ基当たり２０個のエトキシレート基を有するポリエチレンイミン（ＭＷ＝６００グラム／モル）（ＢＡＳＦ，Ｇｅｒｍａｎｙ）
２  ＰＧ６１７又はＰＧ６４０（ＢＡＳＦ，Ｇｅｒｍａｎｙ）
３  実施例２に記載のコーティング粒子。  
４  実施例３、４及び５に記載の香料マイクロカプセル調製物。  
＊  ｐＨ調整せず。また、これらの区画には溶媒も添加しなかった。
【０１６５】
本明細書に開示した寸法及び値は、記述された正確な数値に厳しく限定されるものと理解すべきでない。むしろ、特に言及しない限り、そのようなそれぞれの寸法は、記述された値と、その値の周辺の機能的に同等の範囲との両方を意味することを意図する。例えば、「４０ｍｍ」として開示された寸法は、「約４０ｍｍ」を意味することを意図する。
【０１６６】
本発明の「発明を実施するための形態」で引用した全ての文献は、関連部分において本明細書に援用するが、いずれの文献の引用もそうした文献が本発明に対する先行技術であることを容認するものとして解釈されるべきではない。本書における用語の任意の意味又は定義が、参照により組み込まれた文献における同一の用語の任意の意味又は定義と相反する限りにおいては、本書においてその用語に与えられた意味又は定義が適用されるものとする。
【０１６７】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのような全ての変更及び修正を添付の特許請求の範囲で扱うものとする。
【図１】
2013538885.tif 000016
【図２】
2013538885.tif 000017
【手続補正書】
【提出日】平成25年1月17日(2013.1.17)
【手続補正１】
【補正対象書類名】特許請求の範囲
【補正対象項目名】全文
【補正方法】変更
【補正の内容】
【特許請求の範囲】
【請求項１】
送達粒子であって、シェル材料及び１つ以上のマトリックスを含み、前記シェルは、前記１つ以上のマトリックスを封入し又は埋め込み、前記シェル材料は、ポリビニルアルコール、ポリ酢酸ビニル、酢酸セルロース、ポリ（ビニル−アルコール−ｃｏ−酢酸ビニル）、アクリル酸−エチレン−酢酸ビニルコポリマー、及びこれらの混合物からなる群から選択される材料を含み、前記１つ以上のマトリックスは、１つ以上のマトリックス結合剤及び複数のマトリックス有益剤コアを含み、前記マトリックス結合剤は、水溶性及び／又は水分散性非還元型多糖、水溶性及び／又は水分散性アクリレート誘導体及びこれらの混合物から選択される材料を含み、好ましくは前記マトリックス結合剤は、２グラム／グラム〜５００グラム／グラム、より好ましくは１０グラム／グラム〜３００グラム／グラム、最も好ましくは５０グラム／グラム〜１５０グラム／グラムの遠心時保持用量を有し、前記マトリックス有益剤は、予形成過酸、金属触媒、漂白活性化剤、漂白増進剤、ジアシルペルオキシド、過酸化水素源、及び酵素からなる群から選択される材料を含み、前記マトリックス有益剤コアは前記１つ以上のマトリックス結合剤中に分散しており、前記送達粒子は、１０マイクロメートル〜３５０マイクロメートル、好ましくは２０マイクロメートル〜１５０マイクロメートル、最も好ましくは３５マイクロメートル〜９０マイクロメートルの平均粒径分布を有し、好ましくは前記送達粒子は０．８０〜１、より好ましくは０．９０〜１、最も好ましくは０．９５〜１の安定度指数を有し、好ましくは前記送達粒子は０．２５〜１、より好ましくは０．５０〜１、最も好ましくは０．８５〜１の放出指数を有し、好ましくは前記送達粒子は、２０：８０〜９０：１０、より好ましくは３５：６５〜８５：１５、又は最も好ましくは４５：５５〜８０：２０のマトリックス材料対シェル材料の質量比を有し、好ましくは前記送達粒子は、５０：５０〜３：９７、より好ましくは３５：６５〜１０：９０、最も好ましくは２２：７５〜１５：８５のマトリックス結合剤対シェルの質量比を有し、好ましくは前記送達粒子は追加の外層を含み、前記外層は第二シェル材料、付着助剤ポリマー及び／又はこれらの混合物を含み、好ましくは前記外層は前記送達粒子を完全に又は部分的にコーティング及び／又は封入し、好ましくは前記付着助剤ポリマーはポリビニルホルムアミドを含む、送達粒子。
【請求項２】
ａ）前記金属触媒が、ジクロロ−１，４−ジエチル−１，４，８，１１−テトラアザビシクロ（tetraaazabicyclo）［６．６．２］ヘキサデカンマンガン（ＩＩ）；ジクロロ−１，４−ジメチル−１，４，８，１１−テトラアザビシクロ（tetraaazabicyclo）［６．６．２］ヘキサデカンマンガン（ＩＩ）、及びこれらの混合物からなる群から選択される材料を含み、
ｂ）前記漂白増進剤が、２−［３−［（２−ヘキシルドデシル）オキシ］−２−（スルホオキシ）プロピル］−３，４−ジヒドロイソキノリニウム（分子内塩）、３，４−ジヒドロ−２−［３−［（２−ペンチルウンデシル）オキシ］−２−（スルホオキシ）プロピル］イソキノリニウム（分子内塩）、２−［３−［（２−ブチルデシル）オキシ］−２−（スルホオキシ）プロピル］−３，４−ジヒドロイソキノリニウム（分子内塩）、３，４−ジヒドロ−２−［３−（オクタデシルオキシ）−２−（スルホオキシ）プロピル］イソキノリニウム（分子内塩）、２−［３−（ヘキサデシルオキシ）−２−（スルホオキシ）プロピル］−３，４−ジヒドロイソキノリニウム（分子内塩）、３，４−ジヒドロ−２−［２−（スルホオキシ）−３−（テトラデシルオキシ）プロピル］イソキノリニウム（分子内塩）、２−［３−（ドデシルオキシ）−２−（スルホオキシ）プロピル］−３，４−ジヒドロイソキノリニウム（分子内塩）、２−［３−［（３−ヘキシルデシル）オキシ］−２−（スルホオキシ）プロピル］−３，４−ジヒドロイソキノリニウム（分子内塩）、３，４−ジヒドロ−２−［３−［（２−ペンチルノニル）オキシ］−２−（スルホオキシ）プロピル］イソキノリニウム（分子内塩）、３，４−ジヒドロ−２−［３−［（２−プロピルヘプチル）オキシ］−２−（スルホオキシ）プロピル］イソキノリニウム（分子内塩）、２−［３−［（２−ブチルオクチル）オキシ］−２−（スルホオキシ）プロピル］−３，４−ジヒドロイソキノリニウム（分子内塩）、２−［３−（デシルオキシ）−２−（スルホオキシ）プロピル］−３，４−ジヒドロイソキノリニウム（分子内塩）、３，４−ジヒドロ−２−［３−（オクチルオキシ）−２−（スルホオキシ）プロピル］イソキノリニウム（分子内塩）、２−［３−［（２−エチルヘキシル）オキシ］−２−（スルホオキシ）プロピル］−３，４−ジヒドロイソキノリニウム（分子内塩）、及びこれらの混合物からなる群から選択される材料を含み、
ｃ）前記漂白活性化剤が、テトラアセチルエチレンジアミン（ＴＡＥＤ）、ベンゾイルカプロラクタム（ＢｚＣＬ）、４−ニトロベンゾイルカプロラクタム、３−クロロベンゾイルカプロラクタム、ベンゾイルオキシベンゼンスルホネート（ＢＯＢＳ）、ノナノイルオキシベンゼンスルホネート（ＮＯＢＳ）、安息香酸フェニル（ＰｈＢｚ）、デカノイルオキシベンゼンスルホネート（Ｃ１０−ＯＢＳ）、ベンゾイルバレロラクタム（ＢＺＶＬ）、オクタノイルオキシベンゼンスルホネート（Ｃ８−ＯＢＳ）、過加水分解可能なエステル、４−［Ｎ−（ノナオイル）アミノヘキサノイルオキシ］−ベンゼンスルホン酸ナトリウム（ＮＡＣＡ−ＯＢＳ）、ドデカノイルオキシベンゼンスルホネート（ＬＯＢＳ又はＣ１２−ＯＢＳ）、１０−ウンデセノイルオキシベンゼンスルホネート（１０位に不飽和を有するＵＤＯＢＳ又はＣ１１−ＯＢＳ）、デカノイルオキシ安息香酸（ＤＯＢＡ）、（６−オクタンアミドカプロイル）オキシベンゼンスルホネート、（６−ノナンアミドカプロイル）オキシベンゼンスルホネート；６−デカンアミドカプロイル）オキシベンゼンスルホネート、及びこれらの混合物からなる群から選択される材料を含み、
ｄ）前記予形成過酸が、過硫酸、過ヨウ素酸、過炭酸、過カルボン酸及び前記酸の塩から選択される材料を含み、好ましくは前記過カルボン酸及びその塩が、フタルイミドペルオキシヘキサン酸、１，１２−ジペルオキシドデカン二酸、又はモノペルオキシフタル酸（マグネシウム塩六水和物）、アミドペルオキシ酸を含み、好ましくは前記アミドペルオキシ酸が、Ｎ，Ｎ’−テレフタロイル−ジ（６−アミノカプロン酸）、ペルオキシこはく酸（ＮＡＰＳＡ）又はペルオキシアジピン酸（ＮＡＰＡＡ）のいずれかのモノノニルアミド、Ｎ−ノナノイルアミノペルオキシカプロン酸（ＮＡＰＣＡ）、及びこれらの混合物を含み、より好ましくは前記予形成過酸がフタルイミドペルオキシヘキサン酸を含み、
ｅ）前記ジアシルペルオキシドが、ジノナノイルペルオキシド、ジデカノイルペルオキシド、ジウンデカノイルペルオキシド、ジラウロイルペルオキシド、ジベンゾイルペルオキシド、ジ−（３，５，５−トリメチルヘキサノイル）ペルオキシド及びこれらの混合物からなる群から選択される材料を含み、好ましくは、前記ジアシルペルオキシドが包接ジアシルペルオキシドを含み、
ｆ）前記過酸化水素源が、過ホウ酸塩、過炭酸塩、ペルオキシ水和物、過硫酸塩、及びこれらの混合物からなる群から選択される材料を含み、好ましくは、前記過酸化水素源は過ホウ酸ナトリウムを含み、より好ましくは、前記過ホウ酸ナトリウムは、一水和物又は四水和物、ピロリン酸ナトリウム過酸化水和物、尿素過酸化水和物又はリン酸三ナトリウム過酸化水和物及びこれらの混合物を含み、並びに
ｇ）前記酵素が、ペルオキシダーゼ、プロテアーゼ、リパーゼ、ホスホリパーゼ、セロビオヒドロラーゼ、セロビオースデヒドロゲナーゼ、エステラーゼ、クチナーゼ、ペクチナーゼ、マンナナーゼ、ペクチン酸リアーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、グルカナーゼ、アラビノシダーゼ、ヒアルロニダーゼ、コンドロイチナーゼ、ラッカーゼ、アミラーゼ、及びこれらの混合物からなる群から選択される材料を含む、請求項１に記載の送達粒子。
【請求項３】
ａ）前記ポリビニルアルコールが、加水分解度が８０ｍｏｌ％〜９９ｍｏｌ％、好ましくは８７ｍｏｌ％〜８９ｍｏｌ％であり、かつ分子量が１０，０００グラム／ｍｏｌ〜７５０，０００グラム／ｍｏｌ、好ましくは３０，０００グラム／ｍｏｌ〜３００，０００グラム／ｍｏｌであるポリビニルアルコール変異体を含み、
ｂ）前記ポリ酢酸ビニルが、重合度が１５０〜５，０００、好ましくは１５０〜２，０００、より好ましくは１９０〜１，０００のポリ酢酸ビニル変異体を含み、並びに
ｃ）前記酢酸セルロースが、分子量が３０，０００グラム／ｍｏｌ〜５０，０００グラム／ｍｏｌの酢酸セルロース変異体を含む、請求項１又は２に記載の送達粒子。
【請求項４】
ａ）前記水溶性及び／又は水分散性非還元型多糖類が、キサンタンガム、ダイユータンガム、グアーガム、ジェランガム、カラギーナン、相乗的なゴム系、及びこれらの混合物からなる群から選択される材料を含み、
ｂ）前記水溶性及び／又は水分散性アクリレート誘導体のガラス転移温度が５０℃〜１３０℃、好ましくは９０℃〜１１５℃である、請求項１〜３のいずれか一項に記載の送達粒子。
【請求項５】
前記送達粒子が、
ａ）１つ以上のマトリックス結合剤と、同一の若しくは異なる材料を含む複数のマトリックス有益剤コアと、を含む、単一のマトリックス、又は
ｂ）複数のマトリックスであって、前記マトリックスのそれぞれが独立して、１つ以上のマトリックス結合剤と、同一の若しくは異なる材料を含む複数のマトリックス有益剤コアと、を含み、前記複数のマトリックスは、前記シェル材料により封入され又は埋め込まれる、請求項１〜４のいずれか一項に記載の送達粒子。
【請求項６】
請求項１〜５のいずれか一項に記載の送達粒子と、補助成分とを含む消費者製品であって、好ましくは前記消費者製品が、外部構造系、抗凝集剤、及びこれらの混合物からなる群から選択される材料を含み、好ましくは前記外部構造系が水添硬化ヒマシ油誘導体を含み、好ましくは前記消費者製品が水溶性パウチ材内に封入され、好ましくは前記パウチ材が、ポリビニルアルコール、ポリビニルアルコールコポリマー、ヒドロキシプロピルメチルセルロース（ＨＰＭＣ）、及びこれらの混合物、を含む、消費者製品。
【請求項７】
ａ）アニオン性界面活性剤及び／又は非イオン性界面活性剤、好ましくはアニオン性界面活性剤、
ｂ）溶媒（好ましくは前記溶媒がブトキシプロポキシプロパノール及び／又はグリセロールを含む）、
ｃ）水（好ましくは組成物の総重量に基づいて１０重量％未満の水、より好ましくは２重量％〜１０重量％未満の水）、
ｄ）所望により次のものからなる群から選択される１つ以上の成分：
（ｉ）粘土洗浄ポリマーと適合性のある漂白剤（好ましくは、前記粘土洗浄ポリマーと適合性のある漂白剤は、エトキシ化ヘキサメチレンジアミンジメチル第四級アンモニウム化合物、エトキシサルフェート化ヘキサメチレンジアミンジメチル第四級アンモニウム化合物、及びこれらの混合物からなる群から選択される）、
（ｉｉ）増白剤（好ましくは、前記増白剤は、４，４’−ビス（２−スルホスチリル）ビフェニル及び／又はビス（スルホベンゾフラニル）ビフェニル二ナトリウムから選択される蛍光増白剤を含む）、
（ｉｉｉ）ビルダー（好ましくは、前記ビルダーは、クエン酸ナトリウムを含むビルダーを含む）、並びに
（ｉｖ）キレート化剤（好ましくは前記キレート化剤は１−ヒドロキシエチリデン−１，１−ジホスホン酸（ＨＥＤＰ）を含む）、から選択される材料を含む、請求項１〜６のいずれか一項に記載の消費者製品。
【請求項８】
前記消費者製品が、
ａ．０．０００１重量％〜８重量％の洗浄酵素（好ましくは前記洗浄酵素は、リパーゼ、プロテアーゼ、アミラーゼ、セルラーゼ、ペクチン酸リアーゼ、キシログルカナーゼ、及びこれらの混合物からなる群から選択される酵素を含む）、並びに
ｂ．正味６．５〜１０．５のｐＨ、を含む、請求項１〜７のいずれか一項に記載の消費者製品。
【請求項９】
前記消費者製品が、
ａ．０．１重量％〜１２重量％の漂白剤又は漂白剤系、及び
ｂ．６．５〜１０．５の正味ｐＨを有する、請求項１〜８のいずれか一項に記載の消費者製品。
【請求項１０】
部位を処理及び／又は洗浄する方法であって、前記方法が、
ａ．所望により、前記部位を洗浄及び／又はすすぐ工程と、
ｂ．前記部位を請求項１〜９のいずれか一項に記載の消費者製品と接触させる工程と、
ｃ．前記部位を任意に洗浄及び／又はすすぐ工程、を含む、方法。
【請求項１１】
請求項１〜１０のいずれか一項に記載の消費者製品により処理した部位。
【請求項１２】
消費者製品補助成分及び送達粒子を含む、消費者製品の製造方法であって、
ａ）第一溶液であって、前記第一溶液中に懸濁及び／又は溶解させた、溶液の総重量に基づいて約０．１重量％〜約１０重量％のマトリックス結合剤と、１種以上の溶媒と、を含む第一溶液を調製する工程であって、好ましくは、前記溶媒が水、エタノール、アセトン、ジクロロメタン、及びこれらの混合物を含む、工程と、
ｂ）前記第一溶液に懸濁及び／又は溶解させた、組成物の総重量に基づいて０．１重量％〜３０重量％のマトリックス有益剤コアを含む第一組成物を調製する工程と、
ｃ）所望により、組成物の総重量に基づいて０．０５〜３重量％の外部構造系と、前記第一組成物と、を含む第二組成物を調製する工程と、
ｄ）第二溶液であって、前記第二溶液に懸濁及び／又は溶解させた、溶液の総重量に基づいて約１重量％〜約２０重量％のシェル材料と、１種以上の溶媒と、を含む第二溶液を調製する工程であって、好ましくは、前記溶媒が水、エタノール、アセトン、ジクロロメタン、及びこれらの混合物を含む、工程と、
ｅ）同心ノズル又は同軸針電極を用いることにより、前記第一又は第二組成物と、前記第二溶液とを、２５℃〜１４０℃の温度にてチャンバ内でスプレーして送達粒子を形成する工程であって、好ましくは前記同心ノズルがフローフォーカシングノズル又は同軸ノズルを含み、好ましくは前記同心フローフォーカシングノズルの内径が２０〜２００、より好ましくは４５〜１５０であり、かつ外径が４０〜３５０、より好ましくは７０〜２５０であり、好ましくは前記同軸針電極の直径が１００マイクロメートル〜４，０００マイクロメートル、より好ましくは２５０〜３，０００、最も好ましくは５００マイクロメートル〜２，０００マイクロメートルである、工程と、
ｆ）前記送達粒子を回収する工程と、
ｇ）前記送達粒子を１つ以上の消費者製品補助成分、付着助剤ポリマー、又はこれらの混合物と組み合わせる工程と、を含む、方法。
【請求項１３】
消費者製品補助成分及び送達粒子を含む、消費者製品の製造方法であって、
ａ）第一溶液であって、前記第一溶液中に懸濁及び／又は溶解させた、溶液の総重量に基づいて約０．１重量％〜約１０重量％のマトリックス結合剤と、１種以上の溶媒と、を含む第一溶液を調製する工程であって、好ましくは、前記溶媒が水、エタノール、アセトン、ジクロロメタン、及びこれらの混合物を含む、工程と、
ｂ）前記第一溶液に懸濁及び／又は溶解させた、組成物の総重量に基づいて０．１重量％〜３０重量％のマトリックス有益剤を含む第一組成物を調製する工程と、
ｃ）所望により、溶液の総重量に基づいて０．０１重量％〜２重量％の外部構造系を前記第一組成物に添加する工程と、
ｄ）前記第一組成物を、２５℃〜１４０℃の温度にてチャンバ内でスプレーして、複数のマトリックス有益剤コアを含有するマトリックスを形成する工程であって、好ましくは前記スプレー方法が、二液ノズル、回転ディスク、高圧ノズル、単軸針電極、又はフローフォーカシングノズルを含み、好ましくは前記二液ノズルの直径が２００マイクロメートル〜３，５００マイクロメートル、より好ましくは１，０００マイクロメートル〜３，０００マイクロメートルであり、好ましくは前記フローフォーカシングノズルが、直径が２０マイクロメートル〜７００マイクロメートル、より好ましくは４０〜５００マイクロメートル、最も好ましくは１００マイクロメートル〜３５０マイクロメートルの単独フローフォーカシングノズルを含み、好ましくは前記回転ディスクの直径が６０ミリメートル〜３５０ミリメートルであり、好ましくは前記単軸針電極の直径が１００マイクロメートル〜４，０００マイクロメートル、より好ましくは２５０〜３，０００、最も好ましくは５００マイクロメートル〜２，０００マイクロメートルである、工程と、
ｅ）前記マトリックスを回収する工程と、
ｆ）第二溶液であって、前記第二溶液に懸濁及び／又は溶解させた、溶液の総重量に基づいて約１重量％〜約２０重量％のシェル材料と、１種以上の溶媒と、を含む第二溶液を調製する工程であって、好ましくは、前記溶媒が水、エタノール、アセトン、ジクロロメタン、及びこれらの混合物を含む、工程と、
ｇ）所望により、溶液の総重量に基づいて０．０１重量％〜２重量％の可塑剤を前記第二溶液に添加する工程と、
ｈ）前記第二溶液又は前記第三組成物に懸濁させた、組成物の総重量に基づいて１重量％〜１０重量％の前記マトリックスを含む第三組成物を調製する工程と、
ｉ）所望により、溶液の総重量に基づいて０．０１重量％〜２重量％の外部構造系を前記第三組成物に添加する工程と、
ｊ）前記第二組成物を、２５℃〜１４０℃の温度にてチャンバ内でスプレーして、送達粒子を形成する工程であって、好ましくは前記スプレー方法が、二液ノズル、回転ディスク、高圧ノズル、単軸針電極、又はフローフォーカシングノズルを含み、好ましくは前記二液ノズルの直径が２００マイクロメートル〜３，５００マイクロメートル、より好ましくは１，０００マイクロメートル〜３，０００マイクロメートルであり、好ましくは前記フローフォーカシングノズルが、直径が２０マイクロメートル〜３５０マイクロメートル、より好ましくは４０〜２５０マイクロメートルの単独フローフォーカシングノズルを含み、好ましくは前記回転ディスクの直径が６０ミリメートル〜３５０ミリメートルであり、好ましくは前記単軸針電極の直径が１００マイクロメートル〜４，０００マイクロメートル、より好ましくは２５０〜３，０００、最も好ましくは５００マイクロメートル〜２，０００マイクロメートルである、工程と、
ｋ）前記送達粒子を回収する工程と、
ｌ）前記送達粒子を１つ以上の消費者製品補助成分、付着助剤ポリマー、又はこれらの混合物と組み合わせる工程と、を含む、方法。
【請求項１４】
消費者製品補助成分及び送達粒子を含む、消費者製品の製造方法であって、
ａ）第一溶液であって、前記第一溶液中に懸濁及び／又は溶解させた、溶液の総重量に基づいて約０．１重量％〜約１０重量％のマトリックス結合剤と、１種以上の溶媒と、を含む第一溶液を調製する工程であって、好ましくは、前記溶媒が水、エタノール、アセトン、ジクロロメタン、及びこれらの混合物を含む、工程と、
ｂ）前記第一溶液に懸濁及び／又は溶解させた、組成物の総重量に基づいて０．１重量％〜３０重量％のマトリックス有益剤を含む第一組成物を調製する工程と、
ｃ）所望により、溶液の総重量に基づいて０．０１重量％〜２重量％の外部構造系を前記第三組成物に添加する工程と、
ｄ）前記第一組成物を、２５℃〜１４０℃の温度にてチャンバ内でスプレーして、複数のマトリックス有益剤コアを含有するマトリックスを形成する工程であって、好ましくは前記スプレー方法が、二液ノズル、回転ディスク、高圧ノズル、単軸針電極、又はフローフォーカシングノズルを含み、好ましくは前記二液ノズルの直径が２００マイクロメートル〜３，５００マイクロメートル、より好ましくは１，０００マイクロメートル〜３，０００マイクロメートルであり、好ましくは前記フローフォーカシングノズルが、直径が２０マイクロメートル〜１０００マイクロメートル、より好ましくは４０〜７００マイクロメートル、最も好ましくは１００マイクロメートル〜３５０マイクロメートルの単独フローフォーカシングノズルを含み、好ましくは前記回転ディスクの直径が６０ミリメートル〜３５０ミリメートルであり、好ましくは前記単軸針電極の直径が１００マイクロメートル〜４，０００マイクロメートル、より好ましくは２５０〜３，０００、最も好ましくは５００マイクロメートル〜２，０００マイクロメートルである、工程と、
ｅ）前記マトリックス粒子を回収する工程と、
ｆ）第二溶液であって、前記第二溶液に懸濁及び／又は溶解させた、溶液の総重量に基づいて約１重量％〜約２０重量％のシェル材料と、１種以上の溶媒と、を含む第二溶液を調製する工程であって、好ましくは、前記溶媒が水、エタノール、アセトン、ジクロロメタン、及びこれらの混合物を含む、工程と、
ｇ）所望により、溶液の総重量に基づいて０．０１重量％〜２重量％の可塑剤と、前記第二溶液とを含む第二組成物の調整工程と、
ｈ）所望により、抗凝集剤と前記第二溶液又は第二組成物を組み合わせる工程と、
ｉ）前記マトリックスを噴流層で流動化する工程と、
ｊ）２５℃〜１００℃の温度にて、前記第二溶液又は第二組成物を前記マトリックス上にスプレーして、送達粒子を形成する工程と、
ｋ）前記送達粒子を回収する工程と、
ｌ）前記送達粒子を１つ以上の消費者製品補助成分、付着助剤ポリマー、又はこれらの混合物と組み合わせる工程と、を含む、方法。
【国際調査報告】
2013538885.tif 000018
2013538885.tif 000019
2013538885.tif 000020